(57)【特許請求の範囲】
【請求項１】
モバイルデバイスにおけるバックグラウンド信号追跡のための方法であって、
プロセッサを用いて１つ以上の信号パラメータを復号することによって、１つ以上の地上波信号の１つ以上の観測結果を取得することと、
前記１つ以上の観測結果を前記モバイルデバイスのローカルメモリに記憶することと、
前記モバイルデバイスの前記ローカルメモリにアクセスすることによって、および緊急イベントに応答して、少なくとも部分的に、１つ以上の基準信号の捕捉のために予期される不確実性パラメータのサーチウィンドウのサイズを狭める際に使用するために前記１つ以上の記憶された観測結果を取り出すことと、前記予期される不確実性パラメータは、前記モバイルデバイスにおいて受信され、かつ前記緊急イベントを示すメッセージ中で提供される、
前記プロセッサによって、前記１つ以上の取り出された観測結果に少なくとも部分的に基づいて、前記モバイルデバイスの位置フィックスを計算することと
を備え、
前記１つ以上の基準信号の前記捕捉のために前記サーチウィンドウの前記サイズを狭めることをさらに備える、方法。
【請求項２】
前記１つ以上の記憶された観測結果は、前記１つ以上の地上波信号の測定された到着時間（ＴＯＡ）、前記１つ以上の地上波信号の測定された到着時間差（ＴＤＯＡ）、前記１つ以上の地上波信号を送信する地上波送信機のアイデンティティ、またはそれらの任意の組み合わせのうちの少なくとも１つを備える、請求項１に記載の方法。
【請求項３】
前記緊急イベントは、前記モバイルデバイスにおいて受信され、かつ前記緊急イベントを示す前記メッセージを介して検出される、請求項１に記載の方法。
【請求項４】
前記モバイルデバイスにおいて受信され、かつ前記緊急イベントを示す前記メッセージは、緊急応答機関（ＰＳＡＰ）における前記緊急イベントの検出に応答して通信されたＬＴＥ測位プロトコルメッセージを備える、請求項１に記載の方法。
【請求項５】
前記１つ以上の基準信号の前記捕捉のために、真の早期到着パス（ＥＡＰ）を検出することをさらに備える、請求項１に記載の方法。
【請求項６】
前記１つ以上の地上波信号は、ロングタームエボリューション（ＬＴＥ）における１つ以上の測位基準信号（ＰＲＳ）、ロングタームエボリューション（ＬＴＥ）における１つ以上のセル固有基準信号（ＣＲＳ）、符号分割多元接続（ＣＤＭＡ）でのための１つ以上の１ｘ信号、１つ以上の衛星測位システム（ＳＰＳ）信号、１つ以上ワイヤレス広域ネットワーク（ＷＷＡＮ）信号、またはこれらの任意の組み合わせのうちの少なくとも１つを備える、請求項１に記載の方法。
【請求項７】
前記１つ以上の観測結果は、前記緊急イベントから独立して取得される、請求項１に記載の方法。
【請求項８】
前記１つ以上の基準信号の捕捉に少なくとも部分的に使用するために、センサデータを用いて前記１つ以上の観測結果を増強することをさらに備える、請求項１に記載の方法。
【請求項９】
前記１つ以上の基準信号は、観測到着時間差（ＯＴＤＯＡ）測位技法、アドバンスト順方向リンク三辺測量（ＡＦＬＴ）測位技法、ＳＰＳ測位技法、またはそれらの任意の組み合わせのうちの少なくとも１つを介して捕捉される、請求項１に記載の方法。
【請求項１０】
前記緊急イベントは、前記モバイルデバイスから生じる９１１コールを備える、請求項１に記載の方法。
【請求項１１】
前記１つ以上の基準信号の前記捕捉は、少なくとも、前記１つ以上の基準信号のＴＯＡの１つ以上の測定値、または前記１つ以上の基準信号のＴＤＯＡの１つ以上の測定値の捕捉を備える、請求項１に記載の方法。
【請求項１２】
前記モバイルデバイスにおいて受信され、かつ前記緊急イベントを示す前記メッセージの後で、１つ以上の基準信号のＴＯＡまたはＴＤＯＡの１つ以上の測定値をフィルタリングすることをさらに備える、請求項１に記載の方法。
【請求項１３】
前記１つ以上の基準信号は、全地球航法衛星システム（ＧＮＳＳ）拒否環境で捕捉される、請求項１に記載の方法。
【請求項１４】
前記１つ以上の基準信号の前記捕捉のために、予期されるマルチパスを検出することをさらに備える、請求項１に記載の方法。
【請求項１５】
バックグラウンド信号追跡のための装置であって、
プロセッサを用いて１つ以上の信号パラメータを復号することによって、１つ以上の地上波信号の１つ以上の観測結果を取得するための手段と、
前記１つ以上の観測結果をモバイルデバイスのローカルメモリに記憶するための手段と、
前記モバイルデバイスの前記ローカルメモリにアクセスすることによって、および緊急イベントに応答して、少なくとも部分的に、１つ以上の基準信号の捕捉のために予期される不確実性パラメータのサーチウィンドウのサイズを狭める際に使用するために前記１つ以上の記憶された観測結果を取り出すための手段と、前記予期される不確実性パラメータは、前記モバイルデバイスにおいて受信され、かつ前記緊急イベントを示すメッセージ中で提供される、
前記プロセッサによって、前記１つ以上の取り出された観測結果に少なくとも部分的に基づいて、モバイルデバイスの位置フィックスを計算するための手段と
を備え、
前記１つ以上の基準信号の前記捕捉のために前記サーチウィンドウの前記サイズを狭めるための手段をさらに備える、装置。
【請求項１６】
前記１つ以上の基準信号の前記捕捉のために、真の早期到着パス（ＥＡＰ）を検出するための手段をさらに備える、請求項１５に記載の装置。
【請求項１７】
バックグラウンド信号追跡のための装置であって、
電子通信ネットワークと通信するためのワイヤレストランシーバと、前記ワイヤレストランシーバは、
１つ以上のプロセッサを用いて１つ以上の信号パラメータを復号することによって、１つ以上の地上波信号の１つ以上の観測結果を取得することを行うように構成され、
メモリおよび前記ワイヤレストランシーバに結合された前記１つ以上のプロセッサと、
を備え、
前記１つ以上のプロセッサは、
前記１つ以上の観測結果をモバイルデバイスのローカルメモリに記憶することと、
前記モバイルデバイスの前記ローカルメモリにアクセスすることによって、および緊急イベントに応答して、少なくとも部分的に、１つ以上の基準信号の捕捉のために予期される不確実性パラメータのサーチウィンドウのサイズを狭める際に使用するために前記１つ以上の記憶された観測結果を取り出すことと、前記予期される不確実性パラメータは、前記モバイルデバイスにおいて受信され、かつ前記緊急イベントを示すメッセージ中で提供される、
前記１つ以上のプロセッサによって、前記１つ以上の取り出された観測結果に少なくとも部分的に基づいて、モバイルデバイスの位置フィックスを計算することと
を行うように構成され、
前記１つ以上のプロセッサはさらに、前記１つ以上の基準信号の前記捕捉のために前記サーチウィンドウの前記サイズを狭めるためのものである、装置。
【請求項１８】
前記１つ以上の記憶された観測結果は、前記１つ以上の地上波信号の測定された到着時間（ＴＯＡ）、前記１つ以上の地上波信号の測定された到着時間差（ＴＤＯＡ）、前記１つ以上の地上波信号を送信する地上波送信機のアイデンティティ、またはそれらの任意の組み合わせのうちの少なくとも１つを備える、請求項１７に記載の装置。
【請求項１９】
前記１つ以上のプロセッサはさらに、前記１つ以上の基準信号の前記捕捉のために、真の早期到着パス（ＥＡＰ）を検出するためのものである、請求項１７に記載の装置。
【請求項２０】
前記緊急イベントは、前記モバイルデバイスにおいて受信された前記メッセージを介して検出される、請求項１７に記載の装置。
【請求項２１】
前記１つ以上の地上波信号は、ロングタームエボリューション（ＬＴＥ）における１つ以上の測位基準信号（ＰＲＳ）、ロングタームエボリューション（ＬＴＥ）における１つ以上のセル固有基準信号（ＣＲＳ）、符号分割多元接続（ＣＤＭＡ）でのための１つ以上の１ｘ信号、１つ以上の衛星測位システム（ＳＰＳ）信号、１つ以上ワイヤレス広域ネットワーク（ＷＷＡＮ）信号、またはこれらの任意の組み合わせのうちの少なくとも１つを備える、請求項１７に記載の装置。
【請求項２２】
前記１つ以上の基準信号は、観測到着時間差（ＯＴＤＯＡ）測位技法、アドバンスト順方向リンク三辺測量（ＡＦＬＴ）測位技法、ＳＰＳ測位技法、またはそれらの任意の組み合わせのうちの少なくとも１つを介して捕捉されるものである、請求項１７に記載の装置。
【請求項２３】
前記１つ以上の観測結果は、前記緊急イベントから独立して取得されるものである、請求項１７に記載の装置。
【請求項２４】
前記１つ以上のプロセッサはさらに、前記緊急イベントの後で、１つ以上の基準信号のＴＯＡまたはＴＤＯＡの１つ以上の測定値をフィルタリングするためのものである、請求項１７に記載の装置。
【請求項２５】
プロセッサによって実行可能な命令を有する非一時的記憶媒体であって、前記命令は、
前記プロセッサを用いて１つ以上の信号パラメータを復号することによって、１つ以上の地上波信号の１つ以上の観測結果を取得することと、
前記１つ以上の観測結果をモバイルデバイスのローカルメモリに記憶することと、
前記モバイルデバイスの前記ローカルメモリにアクセスすることによって、および緊急イベントに応答して、少なくとも部分的に、１つ以上の基準信号の捕捉のために予期される不確実性パラメータのサーチウィンドウのサイズを狭める際に使用するために前記１つ以上の記憶された観測結果を取り出すことと、前記予期される不確実性パラメータは、前記モバイルデバイスにおいて受信され、かつ前記緊急イベントを示すメッセージ中で提供される、
前記プロセッサによって、前記１つ以上の取り出された観測結果に少なくとも部分的に基づいて、モバイルデバイスの位置フィックスを計算することと
を行い、
前記命令はさらに、前記１つ以上の基準信号の前記捕捉のために前記サーチウィンドウの前記サイズを狭めるように前記プロセッサによって実行可能である、非一時的記憶媒体。
【発明の詳細な説明】
【関連出願】
【０００１】
本ＰＣＴ出願は、参照によりその全体が本明細書に援用される、２０１５年９月８日に出願された「E911 POSITIONING VIA BACKGROUND SIGNAL TRACKING」と題された、米国特許非仮出願第１４／８４８，１３５号への優先権、およびその利益を主張する。
【背景技術】
【０００２】
１、分野
[0001]  本開示は、一般に、モバイル通信デバイスの位置またはロケーション推定に関し、より具体的には、モバイル通信デバイスにおいてまたはモバイル通信デバイスとともに使用するためのバックグラウンド信号追跡を介する改善されたＥ９１１測位に関する。
【０００３】
２、情報
[0002]  例えば、セルラ電話、ポータブルナビゲーションユニット、ラップトップコンピュータ、携帯情報端末、または同様のものなどのモバイル通信デバイスは、日々ますます一般的になりつつある。例えば、ロケーション認識（location-aware）セルラ電話、スマートフォン、または同様のものなどの、ある特定のモバイル通信デバイスは、様々なシステムから取得または収集された測位支援パラメータ（positioning assistance parameters）を提供することによって、ユーザがそれらの地理的ロケーションを推定することを支援し得る。例えば、屋外環境では、ある特定のモバイル通信デバイスは、セルラ電話、あるいは他のワイヤレスまたは電子通信ネットワークを介して、全地球測位システム（ＧＰＳ）または他の同様の全地球航法衛星システム（ＧＮＳＳ：Global Navigation Satellite Systems）などの衛星測位システム（ＳＰＳ：satellite positioning system）、セルラ基地局などからワイヤレス信号を捕捉することによって、それらの地理的ロケーションまたはいわゆる「位置フィックス（position fix）」の推定値（estimate）を取得し得る。捕捉されたワイヤレス信号は、例えば、モバイル通信デバイスによってまたはモバイル通信デバイスにおいて処理され得、そのロケーションは、アドバンスト順方向リンク三辺測量（ＡＦＬＴ：Advanced Forward Link Trilateration）、基地局識別、セルタワー三辺測量、または同様のものなどの、既知の技法を使用して推定され得る。
【０００４】
[0003]  屋内または都市ビルの谷間などのような環境では、例えば、モバイル通信デバイスは、１つ以上の位置推定技法を容易にするまたはサポートするために、衛星または同様のワイヤレス信号を確実に受信または捕捉することができない可能性がある。例えば、ＳＰＳまたは他のワイヤレス送信機からの信号は、減衰されるか、またはそうでなければ、何らかの方法（例えば、不十分、微弱、断片的など）で影響を受ける可能性があり、これは、それらを位置推定のために使用することを少なくとも部分的に妨げ得る。時には、モバイル通信デバイスは、既知のロケーションに位置しているセルラ基地局、アクセスポイントなどのような、３つ以上の地上波ワイヤレス送信機デバイスで範囲を測定することによって、位置フィックスを取得し得る。範囲は、例えば、適当なアクセスポイントから受信されたワイヤレス信号から媒体アクセス制御識別子（ＭＡＣ ＩＤ）アドレスを取得すること、および信号強度、往復遅延、または同様のものなどの受信された信号の１つ以上の特性を測定することによって測定され得る。
【０００５】
[0004]  いくつかの事例では、モバイル通信デバイスの位置フィックスは、観測到着時間差（ＯＴＤＯＡ：observed time difference of arrival）技法に関連して取得され得る。この技法では、モバイル通信デバイスは、例えば、セルラ基地局の２つ以上のペアから受信された基準信号間のタイミング差を測定し得、その測定された基地局についての既知のロケーションおよび送信タイミングに少なくとも部分的に基づいて、位置フィックスを取得し得る。ＯＴＤＯＡ測位技法は、例えば、連邦通信委員会（ＦＣＣ）からの緊急９１１（Ｅ９１１）指令などに従った緊急コールの際に、モバイル通信デバイスのローカライゼーションを支援するために用いられ得る。しかしながら、時には、ＯＴＤＯＡ測位精度は、近接したセルラ基地局から捕捉されたＯＴＤＯＡ要求のワイヤレス信号が、例えば、（例えば、基準信号時間差などの）適切な測定を容易にするまたはサポートするなどのために低い電力しか有していないまたは十分な電力を有していないなどの場合に、受信感度または可聴性（hearability）の問題によって少なくとも部分的に影響を受け得る。いくつかの事例では、ＯＴＤＯＡ測位精度はまた、例えば、信号マルチパスまたは散乱効果（scattering effects）によって少なくとも部分的に影響を受け得、それは、ＯＴＤＯＡ基準信号の観測到着時間に誤差をもたらし得る。Ｅ９１１ ＯＴＤＯＡ測位はまた、時には、例えばモバイル通信デバイスに支援データ（例えば、ＯＴＤＯＡ要求、基準信号など）を提供すること、およびロケーション推定値を計算することによって、ＯＴＤＯＡ測位を管理するための専用ロケーションサーバなどを有する、専用の測位アーキテクチャ（dedicated positioning architecture）を当てにする（rely）か、またはそれに依存し得る。
【０００６】
[0005]  非限定的かつ非包括的な態様が、以下の図を参照して説明され、ここで、同様の参照番号は、別段の指定がない限り、様々な図の全体を通じて同様の部分を指す。
【図面の簡単な説明】
【０００７】
【図１】[0006]  図１は、例となる動作環境の実装に関連付けられた特徴を例示する概念図である。
【図２】[0007]  図２は、バックグラウンド信号追跡を介する改善されたＥ９１１測位を容易にするおよび／またはサポートすることを行い得る、例となる処理の実装を例示するフロー図である。
【図３】[0008]  図３は、モバイルデバイスに関連付けられた例となるコンピューティング環境の実装を例示する概念図である。
【図４】[0009]  図４は、サーバに関連付けられた例となるコンピューティング環境の実装を例示する概念図である。
【発明の概要】
【０００８】
[0010]  例となる実装は、バックグラウンド信号追跡を介する改善されたＥ９１１測位のための技法に関する。１つの実装では、方法は、１つ以上の地上波信号の１つ以上の観測結果（observations）を取得することと、１つ以上の観測結果をローカルメモリに記憶することと、緊急イベントに応答して、１つ以上の基準信号の捕捉に少なくとも部分的に使用するために１つ以上の記憶された観測結果を取り出すことと、１つ以上の記憶された観測結果に少なくとも部分的に基づいて、モバイルデバイスの位置フィックスを決定することと、を備え得る。
【０００９】
[0011]  別の実装では、装置は、１つ以上の地上波信号の１つ以上の観測結果を取得するための手段と、１つ以上の観測結果をローカルメモリに記憶するための手段と、緊急イベントに応答して、１つ以上の基準信号の捕捉に少なくとも部分的に使用するために１つ以上の記憶された観測結果を取り出すための手段と、１つ以上の記憶された観測結果に少なくとも部分的に基づいて、モバイルデバイスの位置フィックスを決定するための手段と、を備え得る。
【００１０】
[0012]  さらに別の実装では、装置は、電子通信ネットワークと通信するためのワイヤレストランシーバと、ここで、ワイヤレストランシーバは、１つ以上の地上波信号の１つ以上の観測結果を取得するように構成され、メモリおよびワイヤレストランシーバに結合された１つ以上のプロセッサと、ここで、１つ以上のプロセッサは、１つ以上の観測結果をローカルメモリに記憶することと、緊急イベントに応答して、１つ以上の基準信号の捕捉に少なくとも部分的に使用するために１つ以上の記憶された観測結果を取り出すことと、１つ以上の記憶された観測結果に少なくとも部分的に基づいて、モバイルデバイスの位置フィックスを決定することと、を行うように構成される、を備える。
【００１１】
[0013]  さらに別の実装では、製品は、プロセッサによって実行可能な命令を有する非一時的記憶媒体を備え、命令は、１つ以上の地上波信号の１つ以上の観測結果を取得することと、１つ以上の観測結果をローカルメモリに記憶することと緊急イベントに応答して、１つ以上の基準信号の捕捉に少なくとも部分的に使用するために１つ以上の記憶された観測結果を取り出すことと、１つ以上の記憶された観測結果に少なくとも部分的に基づいて、モバイルデバイスの位置フィックスを決定することと、行う。しかしながら、これらは単に例となる実装にすぎず、本願請求項に記載される主題事項がこれら特定の実装に限定されるものではないことが理解されるべきである。
【発明の詳細な説明】
【００１２】
[0014]  以下の詳細な説明には、本願請求項に記載される主題事項の完全な理解を提供するために、多くの具体的な詳細が記載されている。しかしながら、本願請求項に記載される主題事項がこれらの具体的な詳細なしで実施され得ることは、当業者によって理解されるだろう。他の事例では、当業者よって知られている方法、装置、またはシステムは、本願請求項に記載される主題事項を不明瞭にしないように、詳細には説明されていない。
【００１３】
[0015]  モバイル通信デバイスにおいてまたはモバイル通信デバイスとともに使用するための、バックグラウンド信号追跡を介する改善されたＥ９１１測位のための１つ以上の動作および／または技法を容易にするまたはサポートするために、全体的にまたは部分的に実装され得るいくつかの例となる方法、装置、または製造品が、本明細書に開示される。理解されるように、実装に従って、バックグラウンド信号追跡は、４Ｇロングタームエボリューション（ＬＴＥ（登録商標））通信ネットワークにおけるＯＴＤＯＡのための測位基準信号（PRS：positioning reference signals）および／またはセル固有基準信号（ＣＲＳ）信号、符号分割多元接続（ＣＤＭＡ）通信ネットワークにおけるＡＦＬＴのための１ｘ信号、衛星測位システム（ＳＰＳ）信号、または同様のものを追跡することを含み得る。本明細書で使用される場合、「モバイルデバイス」、「モバイル通信デバイス」、「ロケーション認識モバイルデバイス」、または同様の用語は、交換して使用可能であり得、変化する位置またはロケーションを随時有し得る任意の種類の特殊目的コンピューティングプラットフォームまたは装置を指し得る。いくつかの事例では、モバイル通信デバイスは、例えば、１つ以上の通信プロトコルに従って、情報のワイヤレス送信または受信を通して、モバイル、またはそうではない他のデバイスと通信することが可能であり得る。例示の目的で、本明細書において単純にモバイルデバイスと呼ばれ得る、特殊目的モバイル通信デバイスは、例えば、セルラ電話、スマートフォン、携帯情報端末（ＰＤＡ）、ラップトップコンピュータ、パーソナルエンターテインメントシステム、タブレットパーソナルコンピュータ（ＰＣ）、パーソナルオーディオまたはビデオデバイス、パーソナルナビゲーションデバイス、無線ヒートマップ生成ツール、または同様のものを含み得る。しかしながら、これらは、バックグラウンド信号追跡を介する改善されたＥ９１１測位のための１つ以上の動作または技法を実装するために少なくとも部分的に使用され得るモバイルデバイスの単なる例にすぎないこと、および本願請求項に記載される主題事項は、この点に関して限定されないことが認識されるべきである。「位置」および「ロケーション」という用語が、本明細書では交換して使用可能であり得ることにも留意されたい。
【００１４】
[0016]  先に暗示されるように、セルラ電話などのモバイルデバイスの位置フィックスは、例えば、様々なシステムから収集された情報に少なくとも部分的に基づいて取得され得る。１つのこのようなシステムは、例えば、ＯＴＤＯＡ測位システムを備え得る。このシステムでは、専用ロケーションサーバは、例えば、基準セルデータおよび／または隣接セルデータなどのＯＴＤＯＡ測位支援データを提供することによって、およびモバイルデバイスから取得された１つ以上の基準信号時間差（ＲＳＴＤ：reference signal time difference）測定値（measurements）を使用して位置フィックスを計算および／または検証することによって、モバイルデバイスのためのＯＴＤＯＡ測位を管理し得る。例えば、「第３世代パートナーシッププロジェクト」（「３ＧＰＰ（登録商標）」）と称される団体からの文書内に説明されるように、ＬＴＥにおけるＯＴＤＯＡ測位は一般に知られており、本明細書で詳細に説明される必要はない。いくつかの事例では、例えば、全地球航法衛星システム（ＧＮＳＳ）から送信された信号の捕捉を介する測位が利用可能でないなどの場合には、位置フィックスを取得するためのＯＴＤＯＡの使用は、セルＩＤおよび／または拡張型セルＩＤ検出のみを介する位置フィックスよりも、さらに正確な位置フィックスを提供し得る。
【００１５】
[0017]  いくつかの事例では、ＯＴＤＯＡシステムは、例えば、デバイスから生じる９１１緊急コールに応答して、適切な第１の応答者（例えば、消防、警察、救急車など）をモバイルデバイスのロケーションに急送する（dispatching）Ｅ９１１緊急サービスなどの１つ以上の緊急サービスをサポートし得る。そのため、緊急応答機関（ＰＳＡＰ：Public Safety Answering Point）への緊急９１１コールに応答して、例えば、ＰＳＡＰは、公共安全サービスの急送のために、緊急発呼者（emergency caller）の推定されたロケーションを決定するための動作を開始し得る。ここで、モバイルデバイスは、例えば、ＰＳＡＰにおける緊急イベントの検出に応答して、ＯＴＤＯＡ要求、測位支援データなどを備えるメッセージをＯＴＤＯＡロケーションサーバから受信し得る。このメッセージに応答して、モバイルデバイスは、例えば、１つ以上の観測結果を取得し、これらの観測結果を１つ以上の適切な技法（例えば、三辺測量など）を使用して位置フィックスの計算のためにロケーションサーバに送信するなどの、Ｅ９１１ ＯＴＤＯＡ測位セッションを開始し得る。このコンテキストでは、「観測結果」は、ワイヤレス送信機によって送信され、かつモバイルデバイスとコロケートされる（co-located）観測側受信機（observing receiver）または他のセンサによって捕捉される、ワイヤレス信号の測定された属性または特性を指す。いくつかの事例では、１つ以上の観測結果は、例えば、近接するセルラ基地局によって送信され、モバイルデバイスの受信機において捕捉された、ＰＲＳおよび／またはＣＲＳの到着時間（ＴＯＡ）または到着時間差（ＴＤＯＡ）の１つ以上の測定値を含み得るが、特許請求の範囲の主題は、そのように限定されない。例えば、時には、１つ以上の観測結果は、例えば、ＡＦＬＴにおけるＣＤＭＡパイロット測定の１つ以上のＴＯＡを備え得る。位置フィックスを計算する際、ロケーションサーバは、例えば、そのフィックスを、示されたように適切な第１の応答者を急送するなどのために、適切なＰＳＡＰに通信し得る。
【００１６】
[0018]  しかしながら、時には、例えば、Ｅ９１１緊急イベントを示すメッセージを受信することに応答して示されるようなＯＴＤＯＡ測位セッション中に、位置フィックスを取得するための全ての現在のアクティビティ（例えば、ＧＮＳＳ信号の捕捉など）が、中止または停止される可能性がある。位置フィックスを取得するための現在のアクティビティが中止されるため、いくつかの事例では、モバイルデバイスは、例えば、位置フィックスのより速いおよび／またはより正確な計算などのために現在の観測結果を取得する際に、Ｅ９１１ ＯＴＤＯＡ測位セッションより前に取得された１つ以上の観測結果のさらなる活用を行うことができない可能性がある。例えば、理解されるように、Ｅ９１１ ＯＴＤＯＡ測位セッションより前に取得された１つ以上の観測結果は、予期されるマルチパスおよび／またはシャドウフェージング（shadow-fading）状況を検出することに役立ち得、存在する場合、特定のサーチ範囲および／またはエリア、または同様のものに集中することによってサーチウィンドウを狭めることなどによって、受信機感度を改善し得る。加えて、例えば、Ｅ９１１メッセージにおいて提供されるパラメータより前におよび／またはパラメータから独立して取得された観測結果を利用することは、専用ＯＴＤＯＡ測位システムおよび／またはロケーションサーバへの依存を低減し得、エアインターフェーススケーラビリティおよび／または互換性などを改善し得る。また、例えば、１つの可能性のある解決法として、ボイスオーバーＬＴＥ（ＶｏＬＴＥ）などのより新しいサービスの導入によって、緊急サービスは、ＬＴＥエアインターフェースへとすぐに移行し得、そのため、従来のインターフェース（例えば、３Ｇなど）は、もはや用いられない、またはサポートされない可能性がある。従って、例えば、Ｅ９１１ ＯＴＤＯＡ測位セッションのより前におよび／またはそれとは独立に取得された観測結果の履歴を活用することなどによって、改善されたＥ９１１測位を実装し得る、１つ以上の方法、システム、または装置を発展させることが望ましいだろう。
【００１７】
[0019]  そのため、下記により詳細に説明されるように、ある実装では、例えば、Ｅ９１１メッセージ中のパラメータのみを用いて、緊急イベントに応答してＯＴＤＯＡセッションなどに従ってＰＲＳおよび／またはＣＲＳ信号を改めてサーチし始める代わりに、モバイルデバイスは、ローカルメモリに記憶されたそれらの信号（例えば、ＴＯＡ、ＴＤＯＡなどの測定値など）の１つ以上の前の観測結果を用い得る。例えば、モバイルデバイスは通常、サービングセルおよび／または隣接セルによって（例えば、バックグラウンド処理を介して）送信された信号のワイヤレス広域ネットワーク（ＷＷＡＮ）などの測定を行っているため、適用可能な観測結果を記憶するための追加的な電力が存在しないか、またはわずかしか存在しない可能性がある。このように、一旦Ｅ９１１ ＯＴＤＯＡ位置セッションが開始されると、記憶された観測結果は、例えば、モバイルデバイス上で駆動している適当な処理などによってアクセスされるかまたは取り出され得、同様に理解されるように、Ｅ９１１セッションにおいて適用可能な信号を、サーチまたは捕捉することを容易にするまたはサポートするために、少なくとも部分的に使用され得る。説明を簡略化するなどのために、考察が、ＬＴＥにおけるＰＲＳおよび／またはＣＲＳ信号を参照したとしても、ＣＤＭＡにおけるＡＦＬＴのための１ｘ信号、ＧＮＳＳ信号などのような任意の他の適当な信号および／または通信ネットワークが、類似するまたは同様の方式などにおいて、全体的にまたは部分的に本明細書でも利用される得ることに留意されたい。
【００１８】
[0020]  図１は、例えば、ロケーション認識モバイルデバイス１０２などのモバイルデバイスにおいてまたはモバイルデバイスとともに使用するための、バックグラウンド信号追跡を介する改善されたＥ９１１測位のための１つ以上の処理または動作を容易にするまたはサポートすることが可能な、例となる動作環境１００の実装に関連付けられた特徴を例示する概念図である。動作環境１００は、パブリックネットワーク（例えば、インターネット、ワールドワイドウェブ）、プライベートネットワーク（例えば、イントラネット）、ＷＷＡＮ、ワイヤレスローカルエリアネットワーク（ＷＬＡＮなど）または同様のものなどの、様々な電子通信ネットワークまたはそのようなネットワークの組み合わせのコンテキストにおいて全体的にまたは部分的に実装され得る、非限定的な例として本明細書で説明されることが認識されるべきである。本願請求項に記載される主題事項が、屋内の実装に限定されるものではないことにもまた留意されたい。例えば、時には、本明細書で説明される１つ以上の動作または技法は、屋内のような（indoor-like）環境において少なくとも部分的に行われ得、これは、都市ビルの谷間、町の広場、円形競技場、立体駐車場、屋上庭園、中庭、または同様のものなどの、部分的にまたは実質的に囲まれたエリア（enclosed areas）を含み得る。時には、本明細書で説明される１つ以上の動作または技法は、屋外環境において少なくとも部分的に行われ得る。
【００１９】
[0021]  例示されるように、ある実装では、モバイルデバイス１０２は、例えば、衛星測位システム（ＳＰＳ）信号１０４をＳＰＳ衛星１０６から受信または捕捉し得る。いくつかの事例では、ＳＰＳ衛星１０６は、例えば、ＧＰＳまたはガリレオ衛星システムなどの単一の全地球航法衛星システム（ＧＮＳＳ）からのものであり得る。他の事例では、ＳＰＳ衛星１０６は、限定はされないが、ＧＰＳ、ガリレオ、グロナス、または北斗（コンパス）衛星システムなどの、複数のＧＮＳＳからのものであり得る。ある特定の実装では、ＳＰＳ衛星１０６は、例えば、ほんの数例を挙げると、ＷＡＡＳ、ＥＧＮＯＳ、ＱＺＳＳなどの、いくつかの地域航法衛星システム（ＲＮＳＳ：regional navigation satellite systems）のいずれかからのものであり得る。
【００２０】
[0022]  時には、モバイルデバイス１０２は、例えば、適当なワイヤレス通信ネットワークにワイヤレス信号を送信するか、または適当なワイヤレス通信ネットワークからワイヤレス信号を受信し得る。１つの例において、モバイルデバイス１０２は、例えば、ワイヤレス通信リンク１１０を通じて、基地局トランシーバ１０８にワイヤレス信号を送信するか、または基地局トランシーバ１０８からワイヤレス信号を受信することになどよって、セルラ通信ネットワークと通信し得る。同様に、モバイルデバイス１０２は、ワイヤレス通信リンク１１４を介して、ローカルトランシーバ１１２にワイヤレス信号を送信するか、またはローカルトランシーバ１１２からワイヤレス信号を受信し得る。基地局トランシーバ１０８、ローカルトランシーバ１１２などは、例えば、同じまたは同様のタイプであり得るか、または、実装に従って、アクセスポイント、無線ビーコン、セルラ基地局、フェムトセル、または同様のものなどの、異なるタイプのデバイスを表し得る。いくつかの事例では、ローカルトランシーバ１１２は、例えば、ワイヤレス信号を送信または受信することが可能なワイヤレス送信機または受信機を備え得る。例えば、理解されるように、時には、ワイヤレストランシーバ１１２は、１つ以上の他の地上波送信機から１つ以上の観測結果を取得することが可能であり得る。
【００２１】
[0023]  特定の実装では、ローカルトランシーバ１１２は、ワイヤレス通信リンク１１０を通じて基地局トランシーバ１０８を介して確立される範囲よりも、ワイヤレス通信リンク１１４を介して、より短い範囲でモバイルデバイス１０２と通信することが可能であり得る。例えば、ローカルトランシーバ１１２は、屋内または同様の環境に位置し得、ワイヤレスローカルエリアネットワーク（ＷＬＡＮ、例えば、ＩＥＥＥ Ｓｔｄ．８０２．１１ネットワークなど）、またはワイヤレスパーソナルエリアネットワーク（ＷＰＡＮ、例えば、Ｂｌｕｅｔｏｏｔｈ（登録商標）ネットワークなど）へのアクセスを提供し得る。別の例となる実装では、ローカルトランシーバ１１２は、適用可能なセルラまたは同様のワイヤレス通信プロトコルに従って、リンク１１４を介して通信を容易にすることが可能なフェムトセルまたはピコセルを備え得る。当然ながら、これらは、ワイヤレスリンクを介してモバイルデバイス１０２と通信し得るネットワークの単なる例にすぎないことが理解されるべきであり、本願請求項に記載される主題事項は、この点において限定されない。例えば、いくつかの事例では、動作環境１００は、より多くの数の基地局トランシーバ１０８、ローカルトランシーバ１１２などを含み得る。
【００２２】
[0024]  いくつかの実装では、基地局トランシーバ１０８、ローカルトランシーバ１１２などは、１つ以上のリンク１２４を介してネットワーク１２２を通じてサーバ１１６、１１８、または１２０と通信し得る。ネットワーク１２２は、例えば、ワイヤードまたはワイヤレス通信リンクのいずれの組み合わせも備え得る。具体的な実装では、ネットワーク１２２は、例えば、ローカルトランシーバ１１２、基地局トランシーバ１０８などを介して、モバイルデバイス１０２と１つ以上のサーバ１１６、１１８、１２０などとの間の通信を容易にするまたはサポートすることが可能なインターネットプロトコル（ＩＰ）タイプのインフラストラクチャを備え得る。別の実装では、ネットワーク１２２は、例えば、モバイルデバイス１０２とのモバイルセルラ通信を容易にするまたはサポートするために、基地局コントローラまたはマスタ切り替えセンタなどのセルラ通信ネットワークインフラストラクチャを備え得る。示されたように、いくつかの事例では、ネットワーク１２２は、例えば、Ｅ９１１ ＯＴＤＯＡ測位セッションを開始および／または実装する目的などのために、ＰＳＡＰまたは同様のエンティティとの通信を容易にするまたはサポートし得る。サーバ１１６、１１８、および／または１２０は、本明細書で説明される１つ以上の動作または技術を容易にするまたはサポートすることが可能な、任意の適当なサーバまたはそれらの組合せを備え得る。例えば、サーバ１１６、１１８、または１２０は、１つ以上のロケーションサーバ（例えば、発展型サービングモバイルロケーションサーバ（Ｅ−ＳＭＬＣ）、セキュアユーザプレーンロケーションサーバ／ＳＵＰＬロケーションプラットフォーム（ＳＵＰＬ ＳＬＰ）など）、測位支援サーバ、ナビゲーションサーバ、マップサーバ、クラウドソーシングサーバ、ネットワークに関連するサーバ、または同様のものを備え得る。
【００２３】
[0025]  特定の実装において、および以下にも説明されるように、モバイルデバイス１０２は、最初の、またはそうではない、モバイルデバイス１０２の位置フィックスまたは推定されたロケーションを決定することが可能な回路および処理リソースを有し得る。例えば、衛星信号１０４が利用可能な場合、モバイルデバイス１０２は、４つ以上のＳＰＳ衛星１０６までの疑似範囲測定値（pseudorange measurements）に少なくとも部分的に基づいて位置フィックスを計算し得る。ここで、モバイルデバイス１０２は、４つ以上のＳＰＳ衛星１０６から捕捉された信号１０４における疑似雑音コード位相検出に少なくとも部分的に基づいて、そのような疑似範囲測定値を計算し得る。特定の実装では、モバイルデバイス１０２は、ほんの数例を挙げると、例えば、アルマナック（almanac）、エフェメリスデータ（ephemeris data）、ドップラ検索ウィンドウ（Doppler search windows）を含む、ＳＰＳ衛星１０６によって送信される信号１０４の捕捉を手助けするための測位支援データを１つ以上のサーバ１１６、１１８、または１２０から受信し得る。
【００２４】
[0026]  いくつかの実装では、モバイルデバイス１０２は、例えば、ＯＴＤＯＡ、ＡＦＬＴまたは同様のものなどのいくつかの技術のうちのいずれかを使用して、既知のロケーションに位置している１つ以上の地上波送信機（例えば、基地局トランシーバ１０８、ローカルトランシーバ１１２など）から受信されたワイヤレス信号を処理することによって、位置フィックスを取得し得る。これらの技法では、モバイルデバイス１０２からの範囲は、例えば、示されたような、これらの送信機によって送信され、モバイルデバイス１０２で受信された１つ以上の基準信号（例えば、ＰＲＳ、ＣＲＳなど）に少なくとも部分的に基づいて、３つ以上の地上波送信機で測定され得る。ここで、サーバ１１６、１１８、または１２０は、例えば、１つ以上の適用可能な測位技法（例えば、ＡＦＬＴ、ＯＴＤＯＡなど）を容易にするために、地上波送信機のＯＴＤＯＡ基準セルデータ、ＯＴＤＯＡ隣接セルデータ、ＰＲＣおよび／またはＣＲＳ構成データ、ＲＳＴＤサーチウィンドウ、ロケーション、アイデンティティ、方向（orientation）などを含む、モバイルデバイス１０２への測位支援データを提供することを可能にし得る。時には、サーバ１１６、１１８、または１２０は、例えば、動作環境１００に関連付けられた１つ以上の特定のエリアまたは領域中のセルラ基地局（例えば、基地局トランシーバ１０８、ローカルトランシーバ１１２など）の、ロケーション、アイデンティティ、方向などを示す基地局アルマナック（ＢＳＡ：base station almanac）を含み得る。
【００２５】
[0027]  先に暗示されたように、屋内または同様の環境（例えば、都市ビルの谷間など）のような特定の環境では、モバイルデバイス１０２は、適当な測位技法を行うために、十分な数のＳＰＳ衛星１０６からの信号１０４を捕捉または処理できない可能性がある。そのため、任意でまたは代替的に、モバイルデバイス１０２は、フェムトセル、Ｗｉ−Ｆｉアクセスポイントまたは同様のものなどの１つ以上のローカル送信機から捕捉された信号に少なくとも部分的に基づいて、位置フィックスを決定することが可能であり得る。例えば、モバイルデバイス１０２は、既知のロケーションに位置付した３つ以上のローカルトランシーバ１１２で範囲を測定することによって、位置フィックスを取得し得る。いくつかの実装では、モバイルデバイス１０２は、例えば、示されたように、ローカルトランシーバ１１２からＭＡＣアドレスを取得することによって、範囲を測定し得る。
【００２６】
[0028]  ある実装では、モバイルデバイス１０２は、例えば、サーバ１１６、１１８、および／または１２０から１つ以上の測位動作のための測位支援データを受信し得る。時には、測位支援データは、例えば、ＲＴＴ、ＴＯＡ、ＴＤＯＡなど、またはそれらの任意の組み合わせに少なくとも部分的に基づいて、これらの送信機のために範囲を測定するための既知のロケーションに位置している１つ以上のローカルトランシーバ１１２、基地局トランシーバ１０８などの、ロケーション、アイデンティティ、方向などを含み得る。いくつかの事例では、屋内測位動作を手助けするための測位支援データは、例えば、ほんの数例を挙げると、無線ヒートマップ、コンテキストパラメータマップ、ルート能力グラフなどを含み得る。モバイルデバイス１０２によって受信された他の支援データは、例えば、ナビゲーションを表示するまたはナビゲーションに役立つための、屋内または同様のエリアの電子デジタルマップを含み得る。マップは、例えば、特定のエリアに入る際にモバイルデバイス１０２に提供され得、化粧室、公衆電話、室名、店舗、または同様のものなどの関心地点（points of interest）の、ドア、廊下、入り口、壁などのような適用可能な特徴を示し得る。屋内などの関心領域（area of interest）のデジタルマップを取得することによって、モバイルデバイス１０２は、例えば、関連するユーザに追加のコンテキスト、基準系（frame of reference）、または同様のものを提供するように、このエリアの表示されたマップ上にその現在のロケーションをオーバレイ（overlay）することが可能であり得る。「測位支援データ」および「ナビゲーション支援データ」という用語は、本明細書では交換して使用可能であり得る。
【００２７】
[0029]  ある実装によると、モバイルデバイス１０２は、例えば、ユニバーサルリソースロケータ（ＵＲＬ）の選択を通してこのようなデータ要求することによって、サーバ１１６、１１８、または１２０を介して屋内ナビゲーション支援データにアクセスし得る。特定の実装では、サーバ１１６、１１８、または１２０は、ほんの数例を挙げると、例えば、建物のフロア、病院の棟、空港のターミナル、大学キャンパスの複数部分、大型ショッピングモールの複数エリア、を含む多くの異なる屋内エリアをカバーするために屋内ナビゲーション支援データを提供することが可能であり得る。また、モバイルデバイス１０２におけるメモリまたはデータ送信リソースが、サーバ１１６、１１８、または１２０によってサービスされる全てのエリアに関して非現実的または実行不可能な屋内測位支援データの受信を行う場合、モバイルデバイス１０２からのこのようなデータに関する要求は、例えば、モバイルデバイス１０２のロケーションの大まかなまたは粗い推定を示し得る。モバイルデバイス１０２は次に、例えば、モバイルデバイス１０２の大まかに推定されたロケーションを含むまたはそれに近接する１つ以上のエリアをカバーする、屋内ナビゲーション支援データを提供され得る。いくつかの事例では、１つ以上のサーバ１１６、１１８、または１２０は、例えば、Ｅ９１１ ＯＴＤＯＡ測位セッションに関連して位置フィックスなどを決定するために、１つ以上のバックグラウンド処理、ＲＳＴＤまたは同様の測定値を介してモバイルデバイス１０２のローカルメモリ中に記憶されるような、１つ以上の観測結果を取得することを容易にするまたはサポートし得、ネットワーク１２２を介して、適用可能なＰＳＡＰに位置フィックスを提供し得る。
【００２８】
[0030]  特定の数のコンピューティングプラットフォームおよび／またはデバイスが本明細書で例示されているが、任意の数の適当なコンピューティングプラットフォームおよび／またはデバイスが、動作環境１００に関連付けられた１つ以上の技法または処理を容易にするまたはサポートするために実装され得る。例えば、時には、ネットワーク１２２は、モバイルデバイス１０２、１つ以上の基地局１０８、ローカルトランシーバ１１２、サーバ１１６、１１８、１２０、または同様のものとの通信のためのカバレッジエリアを拡張するように、１つ以上のワイヤードまたはワイヤレス通信ネットワーク（例えば、ＷＬＡＮなど）に結合され得る。いくつかの事例では、ネットワーク１２２は、例えば、カバレッジのフェムトセルベースの動作領域を容易にするまたはサポートし得る。繰り返しになるが、これらは、単に例となる実装にすぎず、本願請求項に記載される主題事項は、この点に関して限定されない。
【００２９】
[0031]  これを考慮して、図２に注目し、これは、例えば、図１のモバイルデバイス１０２などの、ロケーション認識モバイルデバイスにおいてまたはロケーション認識モバイルデバイスとともに使用するための、バックグラウンド信号追跡を介する改善されたＥ９１１測位のための１つ以上の動作または技法を容易にするまたはサポートするために、全体的にまたは部分的に行われ得る例となる処理２００の実装を例示するフロー図である。例えば、例となる処理２００に関連付けられる入力信号、出力信号、動作、結果などのような捕捉されるまたは作成される情報が、１つ以上のデジタル信号を介して表され得ることに留意されたい。１つ以上の動作が、同時にまたはある特定のシーケンスに関連して例示または説明されているが、他のシーケンスまたは同時動作が用いられ得ることも認識されるべきである。加えて、以下の説明は、ある特定の他の図に例示された特定の態様または特徴を参照しているが、１つ以上の動作は他の態様または特徴を用いて行われ得る。
【００３０】
[0032]  例となる処理２００は、例えば、１つ以上の地上波信号の１つ以上の観測結果を取得することとともに、動作２０２で始まり得る。示されたように、関心領域またはエリア内を移動している間、モバイルデバイスは、例えば、１つ以上のサービングおよび／または隣接セルラ基地局、ＷＬＡＮアクセスポイント、Ｂｌｕｅｔｏｏｔｈビーコンなど、あるいはそれらの任意の組み合わせのような、１つ以上の近接するまたは「可視の（visible）」ワイヤレス送信機からの地上波ワイヤレス信号を観測、例えば受信および／または捕捉し得る。モバイルデバイスは、例えば、１つ以上の適切な技法を使用して、捕捉された信号中で符号化された特定のパラメータまたは属性を復号し得る。いくつかの事例では、パラメータまたは属性は、例えば、観測されたワイヤレス送信機のアイデンティティ（例えば、セルＩＤ、ＭＡＣアドレスなど）、同様に、受信された信号強度、往復時間、または同様の特性、または捕捉されたワイヤレス信号の態様を備え得る。
【００３１】
[0033]  少なくとも１つの実装では、１つ以上の観測結果は、例えば、１つ以上の近接するセルラ基地局によって送信されるような、ＰＲＳおよび／またはＣＲＳ信号のＴＯＡまたはＴＤＯＡ測定値を備え得る。通常、ＰＲＳおよび／またはＣＲＳは、例えば、地理的に分散された十分な数のセルラ基地局の「可聴性」または検出可能性を増加または改善するために、適切または有用な場合に、実装され得る。ＰＲＳおよび／またはＣＲＳは、例えば、数個の連続するサブフレームまたはいわゆる「測位機会（positioning occasions）」によってグループ化された予め定義された測位サブフレームなどにおいて、周期的に送信され得る。しかしながら、ＰＲＳおよび／またはＣＲＳの測位機会は、ＣＲＳが周期性のより高いインスタンスを有し得るという意味で異なり得、それは、継続的な捕捉（例えば、毎秒など）および／またはそれぞれの観測結果の処理などを介して、モバイルデバイスの電力消費に何らかの方法で少なくとも部分的に影響を与え得る。そのため、いくつかの事例では、本明細書で論じられる１つ以上の動作または技法を容易にするまたはサポートするなどのためにＰＲＳを利用することは、例えば、ＣＲＳなどに関してより望ましいおよび／または有用であり得る。しかしながら、本願請求項に記載される主題事項は、特定の信号および／または実装に限定されるものではなく、例えば、支援型ＧＰＳ（Ａ−ＧＰＳ）システムまたは同様のものに関連して受信および／または捕捉されるような衛星信号、ＣＤＭＡにおけるＡＦＬＴのための１ｘ信号、ＣＲＳなどの任意の適当な信号が、少なくとも部分的に、本明細書で使用され得るか、またはそうでなければ考慮され得ることを意味することに留意されたい。
【００３２】
[0034]  動作２０４に関して、例えば、１つ以上の観測結果がローカルメモリに記憶され得る。例えば、上述されるような１つ以上の観測結果は、１つの可能性のある実装として、専用の、またはそうではない、バックグラウンド処理などの適当な処理またはホストアプリケーションを介する１つ以上のデジタル信号のように、回収および／または記憶され得る。ホストアプリケーションまたは同様の処理は、例えば、適当なサーバによってユーザのモバイルデバイスに提供され、モバイルデバイス上などのローカルに記憶され得る。アプリケーションまたは処理は、例えば、要求、ユーザ入力、または同様のものにおいて、関心領域またはエリアに入っているモバイルデバイスをユーザがオンにする、再起動する、またはアクティブ化する際に、アクティブ化、開始、ダウンロードなどされ得る。示されたように、有効な使用（in operative use）の間、モバイルデバイスは通常、例えば、１つ以上のサービングセルラ基地局および／または隣接セルラ基地局などの１つ以上の近接するワイヤレス送信機によって送信される地上波信号のＷＷＡＮ測定を行っているため、１つ以上の観測結果が、追加的な電力なしで、またはわずかな追加の電力でローカルメモリに記憶され得る。
【００３３】
[0035]  動作２０６において、緊急イベントに応答して、１つ以上の記憶された観測結果は、例えば、１つ以上の基準信号の捕捉に少なくとも部分的に使用するために取り出され得る。いくつかの事例では、緊急イベントは、例えば、可能性のある実装のほんの一例を例示すると、緊急イベントを示すメッセージを介して検出され、モバイルデバイスにおいて受信され得る。緊急イベントを示すメッセージは、例えば、上述されるように、モバイルデバイスから出された緊急９１１コールなどのＰＳＡＰにおける緊急イベントの検出に応答して適切なトランスポートチャネルを介して通信されるＬＴＥ測位プロトコル（ＬＰＰ／ＬＰＰｅ）メッセージを備え得る。時には、緊急イベントを示すメッセージは、例えば、要求能力タイプメッセージおよび応答などの、ＯＴＤＯＡロケーションサーバとモバイルデバイスとの間の能力交換または同様の通信に続き得る。また、示されたように、緊急イベントを示すメッセージを受信する際、モバイルデバイスは、例えば、（例えば、ＧＮＳＳ信号の捕捉などの）位置フィックスを取得するために全ての現在のアクティビティが中止される地点において、Ｅ９１１ ＯＴＤＯＡ測位セッションを開始し得る。そのため、ここで、ＰＲＳおよび／またはＣＲＳの現在の観測結果を取得する際に、全ての現在の測位アクティビティを停止する前に（例えば、Ｅ９１１ ＯＴＤＯＡ測位セッションより前に）取得された１つ以上の観測結果を活かすために、モバイルデバイスは、例えば、ローカルメモリに記憶された１つ以上の前のＰＲＳおよび／またはＣＲＳ観測結果の履歴を使用し得る。
【００３４】
[0036]  より具体的には、ある実装では、Ｅ９１１ ＯＴＤＯＡ測位セッションの開始に応答して、モバイルデバイスは、例えば、そのローカルメモリにアクセスし得、それらのいずれも適切であり適用可能である、１つ以上の以前に観測されたＰＲＳおよび／またはＣＲＳ信号の１つ以上の記憶されたＴＯＡまたはＴＤＯＡ測定値を取り出し得る。モバイルデバイスはまた、利用可能な場合（例えば、屋内などのようなＧＮＳＳ拒否環境に置かれていない場合）ＧＮＳＳ測位支援データを、および／または、例えば、Ｅ９１１ ＯＴＤＯＡ測位プロシージャなどに従って、近接するセルラ基地局（例えば、基準、隣接など）から現在のＲＳＴＤ測定値を取得するための要求を用いてＯＴＤＯＡ測位支援データを、捕捉または受信し得る。示されたように、測位支援データは、例えば、ＧＮＳＳ信号、および／または、利用可能な場合には、ＰＲＳおよび／またはＣＲＳ信号の捕捉のために有用なパラメータ（例えば、候補セルラ基地局、ＰＲＳおよび／またはＣＲＳ構成、所望された精度、応答時間、チャネル、エフェメリス、周波数ウィンドウなど）を備え得る。
【００３５】
[0037]  そのため、いくつかの事例では、例えば、時間および／またはリソースを無駄にし得る、提供された測位支援データを使用するなどのようなＲＳＴＤ測定を行う代わりに、モバイルデバイスは、位置フィックスのより速い計算などのために、１つ以上の取り出された最近のＴＯＡまたはＴＤＯＡ測定値をロケーションサーバに通信し得る。時には、位置フィックスは、例えば、１つ以上の取り出された最近のＴＯＡまたはＴＤＯＡ測定値を使用するなどのように、モバイルデバイスにおいてまたはモバイルデバイスによって計算され得、適切なメッセージを介してロケーションまたは他の適当なサーバに提供され得る。これもまた、例えば、Ｒ９１１ ＯＴＤＯＡ測位セッションの開始時または開始後などの、ＰＲＳおよび／またはＣＲＳ信号が減衰されるかまたはブロックされる場合に有用であり得る。
【００３６】
[0038]  具体的な実装では、モバイルデバイスは、例えば現在のＰＲＳおよび／またはＣＲＳ信号のより多くの正確なまたは誤差のない捕捉などのために、関連付するワイヤレス環境を定義するまたは特徴付けるために、１つ以上の取り出された観測結果を使用し得る。例えば、観測結果の履歴を使用して、モバイルデバイスは、予期されるマルチパスおよび／またはシャドウフェージング状態に関する決定を行うこと、および／または、真の（true）およびバイアスされたＴＯＡまたはＴＤＯＡ測定間を区別することが可能であり得る。すなわち、モバイルデバイスが適用可能な信号を連続的に追跡している場合、そのモバイルデバイスは、測定期間にわたるユーザの動きに関わらず、真のＴＯＡまたはＴＤＯＡ測定値を用いて、真の早期到着パス（ＥＡＰ）を追跡し続ける（lock onto）またはそれを検出するより良い機会を有し得る、および／または、１つ以上の前のＥＡＰに関連するＴＯＡまたはＴＤＯＡ測定値を使用して、バイアスされたＴＯＡまたはＴＤＯＡ測定値を用いて、見通し外のまたは同様のパスを検出または決定することができ得る。
【００３７】
[0039]  別の実装では、Ｅ９１１ ＯＴＤＯＡ測位セッションより前に取得された１つ以上の観測結果は、例えば、特定のサーチ範囲および／またはエリアに集中することによってサーチウィンドウを狭めることなどによって、受信機感度を改善し得る。ここで、例えば、Ｅ９１１測位セッションにおけるＯＴＤＯＡの開始より前などに、ＰＲＳおよび／またはＣＲＳが一時的に失われる場合、ＰＲＳおよび／またはＣＲＳの１つ以上の記憶された観測結果は、サーチ範囲を減少させること、特定の候補に集中することなどによって、このような信号がどこで発見され得るかのいくつかの概念（notion）をモバイルデバイスに提供し得る（例えば、その信号が最近および／または以前に追跡などされたので）。いくつかの事例では、これは、例えば、１つの起こり得る例として、緊急イベントを示すメッセージ中でロケーションサーバによって提供された、予期されるＲＳＴＤのサーチウィンドウのサイズまたは他の不確実性パラメータを狭めることなどによって、サーチの不確実性をより低くし得る。結果として、１つ以上の基準信号は、例えば、より効果的におよび／またはより効率的に捕捉され得、それは、電力および／またはリソース消費、または同様のものを改善し得る。
【００３８】
[0040]  動作２０８において、モバイルデバイスの位置フィックスは、例えば、１つ以上の記憶された観測結果に少なくとも部分的に基づいて計算され得る。示されたように、モバイルデバイスの位置フィックスは、例えば、モバイルデバイスがセルラ基地局の２つ以上のペアから以前に受信された、１つ以上の記憶されたＴＯＡまたはＴＤＯＡに関連する観測結果を用い得る、観測到着時間差（ＯＴＤＯＡ）技法に関連して計算され得る。そのため、記憶された観測結果を使用して、モバイルデバイスは、例えば、可能性のある実装のほんの一例を例示すると、既知のロケーションおよび測定された基地局のための送信タイミングに少なくとも部分的に基づいて、位置フィックスを取得し得る。計算された位置フィックスは、例えば、適切なメッセージを介してロケーションまたは他の適当なサーバに提供され得る。これは、同様に示されたように、例えば、Ｒ９１１ ＯＴＤＯＡ測位セッションの開始時または開始後などのような、ＰＲＳおよび／またはＣＲＳ信号が減衰されるかまたはブロックされる場合に有用であり得る。
【００３９】
[0041]  時には、モバイルデバイスは、例えば、位置フィックスのより効果的なおよび／またはより効率的な取得および／または通信などのために、１つ以上の観測結果を何らかの方法で増強するために、１つ以上のオンボードセンサを利用することが可能であり得る。例えば、可能性のある実装のほんの一例を例示すると、モバイルデバイス上に配置される加速度計または同様の慣性センサは、推測航法によってモバイルデバイスのロケーションを推定するために、少なくとも部分的に使用され得る。ここで、加速度計は、例えば、最後の既知のＴＯＡまたはＴＤＯＡに関連する位置フィックスに少なくとも部分的に基づいて、モバイルデバイスの現在のロケーションを概算し得、いくつかの経過時間にわたる既知の移動の方向および／または推定されたスピードを使用して、その位置フィックスをインクリメントする。そのため、例として、ＴＯＡまたはＴＤＯＡに関連する位置フィックスが、例えば、１０．０秒毎に取得される場合、加速度計または同様の慣性センサは、この１０秒の期間中に多くの追加のロケーション推定を提供することによって１つ以上の観測結果を増強し得、それは、位置検証時間を短縮し得る。１つ以上の観測結果が、例えば、ローカルメモリなどからのそれらの記憶の前に、および／または、それらの取り出しの後に増強され得ることに留意されたい。当然ながら、これらは単に、センサデータを用いて１つ以上の観測結果を増強することに関連する詳細であり、本願請求項に記載される主題事項はそのように限定されない。また、本願請求項に記載される主題事項は、加速度計または同様のセンサに限定されない。いずれの他の適当なセンサまたはモバイルデバイスに関連付けられたセンサの組み合わせも、類似する方式において、センサデータを用いて１つ以上の観測結果を増強するために、少なくとも部分的に利用され得る。
【００４０】
[0042]  いくつかの事例では、ＰＲＳおよび／またはＣＲＳの１つ以上の記憶された観測結果は、例えば、Ｅ９１１ ＯＴＤＯＡ測位セッションの開始より前に取得された観測結果から、Ｅ９１１ ＯＴＤＯＡ測位セッションの開始後に取得された１つ以上のＰＲＳおよび／またはＣＲＳ観測結果までのノイズを低減するために、継続的な測定値のフィルタリングなどによって、連続する測定値の利益をモバイルデバイスが拡張することを可能にする。例えば、モバイルデバイスがＬＴＥドップラの能力および／または概念を有する場合、それは通常、必ずではないが、ＴＯＡまたはＴＤＯＡよりも高い精度を有し、次に、継続的な測定値は、例えば、現在のＴＯＡまたはＴＤＯＡ推定値自体とともに、現在のエポック（epoch）などのために、以前に取得された測定値からドップラ増殖された信号（Doppler propagated signal）を重み付けすることによって、少なくとも部分的にフィルタリングまたは平滑化され得る。そのため、時には、ドップラ増殖された信号を重み付けすることは、例えば、現在のＴＯＡまたはＴＤＯＡの推定値よりも少ないノイズをもたらし得る。いくつかの事例では、ドップラ増殖は通常、例えば、適用可能な測定値の変更（例えば、デルタ）を提供し、一方、ＴＯＡまたはＴＤＯＡは絶対測定値を提供し得るため、現在のドップラ増殖された信号を重み付けすることは有用であり得る。このように、いくつかの事例では、適切な方法でこのようなデルタの利用を限定することは有用であり得、それは、例えば、実験的におよび／または動的に決定（例えば、あらかじめ定められるなど）され得る。加えて、例えば、Ｅ９１１メッセージ中で提供されるパラメータより前におよび／またはパラメータから独立して取得される観測結果の利用は、示されたように、専用ＯＴＤＯＡ測位システムおよび／またはロケーションサーバへの信頼を低減し、エアインターフェーススケーラビリティおよび／または互換性または同様のものへの依存を改善し得る。
【００４１】
[0043]  繰り返しになるが、本明細書中の考察は、説明を容易にするなどのために、ＰＲＳおよび／またはＣＲＳ信号の用語で提供され、ＣＤＭＡにおけるＡＦＬＴのための１ｘ信号、ＧＮＳＳ信号などのような、任意の他の適当な信号および／または通信ネットワークがまた、類似するまたは同様の方式などにおいて、バックグラウンド信号追跡を介する改善されたＥ９１１測位のための１つ以上の動作および／または技法を容易にするまたはサポートするために、全体的にまたは部分的に利用され得る。例えば、バックグラウンドＧＮＳＳ信号追跡は、比較的多くの量の電力および／または処理リソースを消費し得るが、それにも関わらず、特許請求の範囲に記載される主題事項から逸脱することなく実装され得る。そのため、屋内または同様のオープンスカイ型の環境などにおけるいくつかの事例では、例えば、より新しいＧＮＳＳチップアーキテクチャのエナジ効率のよいデューティサイクリング技法は、ＧＮＳＳ信号の連続する追跡などのために、非常に低い平均電力で（例えば、他のアプリケーションなどからの支援がなくとも、バックグラウンドで起動している常にオンの測位アプリケーションを介して）ＧＮＳＳ処理をフレッシュ状態に保つことが可能であり得る。
【００４２】
[0044]  図３は、バックグラウンド信号追跡を介する改善されたＥ９１１測位のための１つ以上の動作および／または技法を容易にするまたはサポートするために、少なくとも部分的に使用され得るモバイルデバイスに関連付けられた、例となるコンピューティング環境の実装の概念図である。例となるコンピューティング環境は、例えば、図１のモバイルデバイス１０２の１つ以上の特徴または態様を含み得るモバイルデバイス３００を備え得るが、本願請求項に記載される主題事項は、そのように限定されない。例えば、いくつかの事例では、モバイルデバイス３００は、適当な無線通信ネットワーク上でアンテナ３０６などを介して、概して３０４において言及されるワイヤレス信号を送信および／または受信することが可能なワイヤレストランシーバ３０２を備え得る。ワイヤレストランシーバ３０２は、例えば、図１および２に関して説明される１つ以上の通信などの１つ以上の適当な通信を送るまたは受信することが可能であり得る。ワイヤレストランシーバ３０２は、例えば、ワイヤレストランシーババスインタフェース３１０を介してバス３０８に結合または接続され得る。ある実装に依存して、時には、ワイヤレストランシーババスインタフェース３１０は、例えば、ワイヤレストランシーバ３０２と少なくとも部分的に一体化され得る。いくつかの実装は、ほんの数例を挙げると、ＷＬＡＮまたはＷｉＦｉ、符号分割多元接続（ＣＤＭＡ）、広帯域ＣＤＭＡ（Ｗ−ＣＤＭＡ（登録商標））、ロングタームエボリューション（ＬＴＥ）、Ｂｌｕｅｔｏｏｔｈなどの、対応する複数のワイヤレス通信規格に従って信号を送信または受信することを可能にするように、複数のワイヤレストランシーバ３０２またはアンテナ３０６を含み得る。
【００４３】
[0045]  ある実装では、モバイルデバイス３００は、例えば、ＳＰＳまたは同様のアンテナ３１６などを介して、１つ以上のＳＰＳまたは他の適当なワイヤレス信号３１４を受信または捕捉することが可能な、ＳＰＳまたは同様の受信機３１２を備え得る。ＳＰＳ受信機３１２は、最初の、またはそうではない、モバイルデバイス３００のロケーションを推定するために１つ以上の捕捉されたＳＰＳ信号３１４を、全体的にまたは部分的に処理し得る。いくつかの事例では、１つ以上の汎用／アプリケーションプロセッサ３１８（以後、「プロセッサ」と呼ぶ）、メモリ３２０、デジタルシグナルプロセッサ（ＤＳＰ）３２２、または図示されていない同様の専用デバイスまたはプロセッサは、全体的にまたは部分的に、ＳＰＳ受信機３１２または同様のものなどと連携して、捕捉されたＳＰＳ信号３１４を処理し、モバイルデバイス３００のロケーションを計算するために利用され得る。例えば、バックグラウンド信号追跡を介する改善されたＥ９１１測位のための１つ以上の技法などに関連して、１つ以上の測位動作を実装するためのＳＰＳまたは他の信号の記憶は、メモリ３２０、適切なレジスタまたはバッファ（図示されない）において、少なくとも部分的に行われ得る。図示されないが、少なくとも１つの実装において、１つ以上のプロセッサ３１８、メモリ３２０、ＤＳＰ３２０、または同様の専用デバイスまたはプロセッサは、１つ以上の地上波信号の１つ以上の観測結果を取得することと、１つ以上の観測結果をローカルメモリに記憶することと、緊急イベントに応答して、１つ以上の基準信号の捕捉に少なくとも部分的に使用するために１つ以上の記憶された観測結果を取り出すことと、１つ以上の記憶された観測結果に少なくとも部分的に基づいて、モバイルデバイス３００の位置フィックスを決定することと、を行うことが可能な１つ以上の処理モジュールを備え得ることが認識されるべきである。
【００４４】
[0046]  １つ以上の処理モジュールのすべてまたは一部が、ハードウェア、ファームウェア、ソフトウェア、またはこれらの任意の組み合わせを使用して、またはそうでなければこれらを含んで、実装され得ることに留意されたい。処理モジュールは、情報計算技法または処理の少なくとも一部分を行うことが可能な１つ以上の回路を表し得る。例として、限定はされないが、プロセッサ３１８またはＤＳＰ３２２は、１つ以上のプロセッサ、コントローラ、マイクロプロセッサ、マイクロコントローラ、特定用途向け集積回路、デジタルシグナルプロセッサ、プログラマブル論理デバイス、フィールドプログラマブルゲートアレイ、中央処理ユニット、グラフィックプロセッサユニット、または同様のもの、あるいはそれらの任意の組み合わせを含み得る。そのため、時には、プロセッサ３１８またはＤＳＰ３２２、あるいはそれらの任意の組み合わせは、少なくとも部分的に、図２の動作２０２を実装するなどのために、１つ以上の地上波信号の１つ以上の観測結果を取得するための手段を備えるか、またはそれを表し得る。加えて、少なくとも１つの実装では、プロセッサ３１８またはＤＳＰ３２２は、例えば、少なくとも部分的に、図２の動作２０４を実装するなどのために、１つ以上の観測結果をローカルメモリに記憶するための手段を表し得るか、またはそれを備え得る。また、時には、プロセッサ３１８またはＤＳＰ３２２は、例えば、図２の動作２０６に図示されるまたはそれに関して説明されるような、例えば、緊急イベントに応答して、１つ以上の基準信号の捕捉に少なくとも部分的に使用するために１つ以上の記憶された観測結果を取り出すための手段を備え得るか、またはそれを表し得る。加えて、いくつかの事例では、プロセッサ３１８またはＤＳＰ３２２は、例えば、少なくとも部分的に、図２の動作２０８を実装するなどのために、１つ以上の記憶された観測結果に少なくとも部分的に基づいて、モバイルデバイス３００の位置フィックスを決定するための手段を備え得るか、またはそれを表し得る。
【００４５】
[0047]  例示されるように、ＤＳＰ３２２は、バス３０８を介して、プロセッサ３１８およびメモリ３２０に結合または接続され得る。図示されていないが、いくつかの事例では、バス３０８は、ＤＳＰ３２２、プロセッサ３１８、メモリ３２０、または同様のものなどの、モバイルデバイス３００の１つ以上の適用可能なコンポーネントと一体化され得る１つ以上のバスインタフェースを備え得る。様々な実施形態では、本明細書で説明される１つ以上の動作また機能は、ほんの数例を挙げると、ＲＡＭ、ＲＯＭ、ＦＡＬＳＨ、ディスクドライブなどのようなコンピュータ可読記憶媒体などにおいて、メモリ３２０に記憶された１つ以上の機械可読命令の実行に応答して行われ得る。命令は、例えば、プロセッサ３１８、図示されていない１つ以上の専用プロセッサ、ＤＳＰ３２２、または同様のものを介して実行可能であり得る。メモリ３２０は、本明細書で説明される動作または機能を行うために、プロセッサ３１８、ＤＳＰ３２２、または同様のものによって実行可能であり得るソフトウェアコード（例えば、プログラミングコード、命令など）を記憶し得る、非一時的プロセッサ可読メモリ、コンピュータ可読メモリなどを備え得る。
【００４６】
[0048]  モバイルデバイス３００は、ユーザインタフェース３２４を備え得、それは、ほんの数例を挙げると、例えば、スピーカ、マイクロフォン、ディスプレイデバイス、振動デバイス、キーボード、タッチスクリーンなどのような、いくつかのデバイスのうちのいずれのものも含み得る。少なくとも１つの実装では、ユーザインタフェース３２４は、ユーザが、モバイルデバイス３００上でホスト（hosted）される１つ以上のアプリケーションと相互作用することを可能にし得る。例えば、ユーザインタフェース３２４の１つ以上のデバイスは、ユーザからの入力またはアクションに応答して、ＤＳＰ３２２、プロセッサ３１８などによってさらに処理されるアナログまたはデジタル信号をメモリ３２０上に記憶し得る。同様に、モバイルデバイス３００上でホストされる１つ以上のアプリケーションは、ユーザに出力信号を提示するために、メモリ３２０にアナログまたはデジタル信号を記憶し得る。いくつかの実装では、モバイルデバイス３００は、例えば、専用スピーカ、マイクロフォン、デジタル−アナログ回路、アナログ−デジタル回路、増幅器、利得制御、または同様のものを備える、専用オーディオ入力／出力（Ｉ／Ｏ）デバイス３２６を任意で含み得る。しかしながら、これはオーディオＩ／Ｏデバイス３２６がどのように実装され得るかの単なる例にすぎず、本願請求項に記載される主題事項は、この点に関して限定されないことが理解されるべきである。理解されるように、モバイルデバイス３００は、キーボード、タッチスクリーン、または同様のものに触れることまたはこれらに適用される同様の圧力に反応する１つ以上のタッチセンサ３２８を備え得る。
【００４７】
[0049]  モバイルデバイス３００は、例えば、１つ以上の慣性センサ、周囲環境センサ（ambient environment sensors）、または同様のものなどの、バス３０８に結合または接続された１つ以上のセンサ３３４を備え得る。センサ３４４の慣性センサは、ほんの数例を例示すると、例えば、（例えば、１次元、２次元、または３次元などにおけるモバイルデバイス３００の加速度に集合的に反応する）１つ以上の加速度計、（例えば、１つ以上のコンパスまたは同様のアプリケーションなどをサポートするための）ジャイロスコープまたは磁気計などを備え得る。モバイルデバイス３００の周囲環境センサは、ほんの数例を挙げると、例えば、１つ以上の気圧センサ、温度センサ、周囲光検出器、カメラセンサ、マイクロフォンなどを備え得る。センサ３３４は、測位またはナビゲーションの動作、ワイヤレス通信、無線ヒートマップ学習（radio heat map learning）、ビデオゲーミング、または同様のものに向けられた１つ以上のアプリケーションのサポートなどにおいて、メモリ３２０に記憶され得、ＤＳＰ３２２、プロセッサ３１８などによって処理され得るアナログまたはデジタル信号を生成し得る。
【００４８】
[0050]  特定の実装では、モバイルデバイス３００は、例えば、ワイヤレストランシーバ３０２、ＳＰＳ受信機３１２、または同様のものを介して受信またはダウンコンバートされる信号のベースバンド処理を行うことが可能な、専用の、またはそうではない、モデムプロセッサ３３６を備え得る。同様に、モデムプロセッサ３３６は、例えば、ワイヤレストランシーバ３０２を介する送信のためにアップコンバートされる信号のベースバンド処理を行い得る。代替の実装では、専用モデムプロセッサを有する代わりに、ベースバンド処理は、プロセッサ３１８、ＤＳＰ３２２、または同様のものによって、少なくとも部分的に行われ得る。加えて、いくつかの事例では、インタフェース３３８は、別個のコンポーネントとして例示されているが、例えば、バス３０８またはＳＰＳ受信機３１２などの、モバイルデバイス３００の１つ以上の適用可能なコンポーネントと、全体的にまたは部分的に一体化され得る。任意でまたは代替的に、ＳＰＳ受信機３１２は、バス３０８に直接結合または接続され得る。しかしながら、これらはベースバンド処理を行い得るコンポーネントまたは構造の単なる例にすぎず、本願請求項に記載される主題事項は、この点に関して限定されないことが理解されるべきである。
【００４９】
[0051]  図４は、例えば、図１および２に関連して上述されるような、バックグラウンド信号追跡を介する改善されたＥ９１１測位のための１つ以上の動作および／または技法を部分的または実質的に実装またはサポートすることが可能な１つ以上のサーバまたは他のデバイスに関連付けられるか、またはそれらを含み得る例となるコンピューティング環境またはシステム４００の実装を例示する概念図である。コンピューティング環境４００は、例えば、第１のデバイス４０２、第２のデバイス４０４、第３のデバイス４０６などを含み得、これらは、通信ネットワーク４０８を介してともに動作可能に結合され得る。いくつかの事例では、第１のデバイス４０２は、例えば、本明細書で説明されるような、既知のワイヤレス送信機、無線ヒートマップ、基地局アルマナック、電子デジタルマップ、ワイヤレス送信機のデータベース、バイアス推定値、信号測定値、または同様のものの、アイデンティティ、ロケーションなどのような測位支援パラメータを提供することが可能なロケーションサーバを備え得る。例えば、第１のデバイス４０２はまた、要求または同様のもの応じて、（例えば、最後の既知のＳＰＳ位置フィックス、１つ以上の適切なセンサを使用する推測航法などを介して決定される）モバイルデバイスのロケーションの粗いまたは大まかな推定値に少なくとも部分的に基づいて、電子デジタルマップをモバイルデバイスに提供することが可能なサーバも備え得る。第１のデバイス４０２はまた、モバイルデバイスのロケーションに関する任意の他の適当な測位支援パラメータ（例えば、無線ヒートマップなど）を提供することが可能なサーバも備え得る。第２のデバイス４０４または第３のデバイス４０６は、例えば、モバイルデバイスを備え得るが、本願請求項に記載される主題事項はそのように限定されない。例えば、いくつかの事例では、可能性のある別の実装の例を例示すると、第２のデバイス４０４は、第１のデバイス４０２に機能的または構造的に類似するサーバを備え得る。加えて、通信ネットワーク４０８は、例えば、セルラ基地局、Ｗｉ−Ｆｉアクセスポイント、フェムトセル、または同様のものなどの１つ以上のワイヤレス送信機を備え得る。当然ながら、本願請求項に記載される主題事項は、これらの点に関して範囲を限定されるものではない。
【００５０】
[0052]  第１のデバイス４０２、第２のデバイス４０４、または第３のデバイス４０６は、通信ネットワーク４０８上のパラメータおよび／または情報を交換することが可能であり得る任意のデバイス、機器（appliance）、プラットフォーム、または機械を表し得る。限定はされないが、例として、第１のデバイス４０２、第２のデバイス４０４、または第３のデバイス４０６のいずれも、例えば、デスクトップコンピュータ、ラップトップコンピュータ、ワークステーション、サーバデバイス、または同様のものなどの１つ以上のコンピューティングデバイスまたはプラットフォーム；例えば、携帯情報端末、モバイル通信デバイス、または同様のものなどの１つ以上のパーソナルコンピューティングまたは通信デバイスまたは器具；例えば、データベースまたは情報記憶サービスプロバイダ／システム、ネットワークサービスプロバイダ／システム、インターネットまたはインターネットサービスプロバイダ／システム、ポータルまたは検索エンジンサービスプロバイダ／システム、ワイヤレス通信サービスプロバイダ／システムなどのコンピューティングシステムまたは関連サービスプロバイダ能力；またはこれらの任意の組合せ、を含み得る。第１、第２、または第３のデバイス４０２、４０４、および４０６のいずれも、本明細書で説明される実例的な実装に従って、モバイルデバイス、ワイヤレス送信機または受信機、サーバなどのうちの１つ以上をそれぞれ備え得る。
【００５１】
[0053]  ある実装では、通信ネットワーク４０８は、第１のデバイス４０２、第２のデバイス４０４、または第３のデバイス４０６のうちの少なくとも２つの間の情報の交換をサポートすることが可能な１つ以上の通信リンク、プロセス、またはリソースを表し得る。限定はされないが、例として、通信ネットワーク４０８は、ワイヤレスまたはワイヤード通信リンク、電話または電気通信システム、情報バスまたはチャネル、光ファイバ、地上または宇宙ビークルリソース、ローカルエリアネットワーク、広域ネットワーク、イントラネット、インターネット、ルータまたはスイッチ、または同様のもの、またはこれらの任意の組み合わせを含み得る。例えば、第３のデバイス４０６によって部分的におおい隠されている点線のボックスを介して例示されるように、通信ネットワーク４０８に動作可能に結合された追加の同様のデバイスが存在し得る。本明細書で説明されるような、プロセスまたは方法、またはコンピューティング環境４００において示される様々なデバイスまたはネットワークのすべてまたは一部は、ハードウェア、ファームウェア、ソフトウェア、またはこれらの任意の組み合わせを使用して、またはそうでなければ、これらを含んで実装され得ることも認識される。
【００５２】
[0054]  限定はされないが、例として、第２のデバイス４０４は、バス４１４を介してメモリ４１２に動作可能に結合され得る少なくとも１つの処理ユニット４１０を含み得る。処理ユニット４１０は、適当なコンピューティングプロシージャまたはプロセスの少なくとも一部を行うことが可能な１つ以上の回路を表し得る。例えば、処理ユニット４１０は、１つ以上のプロセッサ、コントローラ、マイクロプロセッサ、マイクロコントローラ、特定用途向け集積回路、デジタルシグナルプロセッサ、プログラマブル論理デバイス、フィールドプログラマブルゲートアレイ、または同様のもの、あるいはこれらの任意の組み合わせを含み得る。図示されていないが、第２のデバイス４０４は、例えば、ＳＰＳ、１つ以上のセルラ基地局、Ｗｉ−Ｆｉアクセスポイントなどからの１つ以上の受信または捕捉されたワイヤレス信号に少なくとも部分的に基づいて、関心エリアなどにおける適切なモバイルデバイスの位置フィックスを開始し得るロケーション追跡ユニットを含み得る。いくつかの実装において、ロケーション追跡ユニットは、例えば、処理ユニット４１０のなどの適当な処理ユニットと少なくとも部分的に一体化され得るが、本願請求項に記載される主題事項は、そのように限定されない。ある特定のサーバベースのまたはサーバによってサポートされる実装では、処理ユニット４１０は、例えば、少なくとも部分的に図２の動作２０２、２０４、２０６、および／または２０８を容易するにまたはサポートするなどのために、１つ以上の地上波信号の１つ以上の観測結果を取得するための手段と、１つ以上の観測結果をローカルメモリに記憶するための手段と、緊急イベントに応答して、１つ以上の基準信号の捕捉に少なくとも部分的に使用するために１つ以上の記憶された観測結果を取り出すための手段と、１つ以上の記憶された観測結果に少なくとも部分的に基づいて、モバイルデバイスの位置フィックスを決定するための手段と、を備える。いくつかの事例では、処理ユニット４１０は、例えば、少なくとも部分的に図２の動作２０２、２０４、２０６、および／または２０８を容易するにまたはサポートするなどのために、１つ以上の基準信号の捕捉のためにサーチウィンドウを狭めるための手段を備え得る。ある実装に依存して、処理ユニット４１０はまた、例えば、少なくとも部分的に図２の動作２０２、２０４、２０６、および／または２０８を容易するにまたはサポートするなどのために、１つ以上の基準信号の捕捉のために、予期されるマルチパスおよび／または真の早期到着パス（ＥＡＰ）を検出するための手段を備え得る。
【００５３】
[0055]  メモリ４１２は、任意の情報記憶メカニズムまたは機器を表し得る。メモリ４１２は、例えば、一次メモリ４１６および二次メモリ４１８を含み得る。一次メモリ４１６は、例えば、ランダムアクセスメモリ、読み取り専用メモリなどを含み得る。この例では処理ユニット４１０から分離して図示されているが、一次メモリ４１６の全てまたは一部は、処理ユニット４１０内で提供されるか、またはそうでなければ、それとコロケート／結合され得ることが理解されるべきである。二次メモリ４１８は、例えば、一次メモリと同じまたは類似するタイプのメモリ、または、例えば、ディスクドライブ、光ディスクドライブ、テープドライブ、ソリッドモーションステートメモリドライブ（solid motion state memory drive）などようなの１つ以上の情報記憶デバイスまたはシステムを含み得る。ある特定の実装では、二次メモリ４１８は、コンピュータ可読媒体４２０を受け入れるように動作可能であり得るか、またはそうでなければ、結合されるように構成可能である。コンピュータ可読媒体４２０は、例えば、コンピューティング環境４００内のデバイスの１つ以上について、アクセス可能な情報、コード、または命令を搬送または作成し得る任意の非一時的記憶媒体を含み得る。コンピュータ可読媒体４２０はまた、機会可読媒体、記憶媒体などとも呼ばれ得る。
【００５４】
[0056]  第２のデバイス４０４は、例えば、少なくとも通信ネットワーク４０８への第２のデバイス４０４の動作可能な結合を提供し得る、またはそうでなければ、サポートし得る通信インタフェース４２２を含み得る。限定されないが、例として、通信インタフェース４２２は、ネットワークインタフェースデバイスまたはカード、モデム、ルータ、スイッチ、トランシーバなどを含み得る。第２のデバイス４０４はまた、例えば、入力／出力デバイス４２４を含み得る。入力／出力デバイス４２４は、人間または機械の入力を受け付ける、またはそうでなければ、導入するように構成可能であり得る１つ以上のデバイスまたは特徴、あるいは、人間または機械の出力を配信する、またはそうでなければ、提供することが可能な１つ以上のデバイスまたは特徴を表し得る。限定されないが、例として、入力／出力デバイス４２４は、動作可能に構成されたディスプレイ、スピーカ、キーボード、マウス、トラックボール、タッチスクリーン、情報ポート、または同様のものを含み得る。
【００５５】
[0057]  本明細書に説明される方法は、特定の例に従ったアプリケーションに依存して様々な手段によって実装され得る。例えば、このような方法は、ハードウェア、ファームウェア、ソフトウェア、またはこれらの組み合わせにおいて実装され得る。ハードウェアの実装では、例えば、処理ユニットは、１つ以上の特定用途向け集積回路（「ＡＳＩＣ」）、デジタルシグナルプロセッサ（「ＤＳＰ」）、デジタルシグナル処理デバイス（「ＤＳＰＤ」）、プログラマブル論理デバイス（「ＰＬＤ」）、フィールドプログラマブルゲートアレイ（「ＦＰＧＡ」）、プロセッサ、コントローラ、マイクロコントローラ、マイクロプロセッサ、電子デバイス、本明細書に説明された機能を行うように設計された他のデバイスユニット、またはこれらの組み合わせ内に実装され得る。
【００５６】
[0058]  アルゴリズム的記述および／または象徴的表現は、作業の要旨を他の当業者に伝達するための、信号処理および／または関連技術における当業者によって使用される技法の例である。アルゴリズムは、ここでは、また一般的に、所望の結果に至る、首尾一貫した動作のシーケンスおよび／または類似した信号処理である。このコンテキストにおいて、動作および／または処理は、物理量の物理的な操作を含む。通常、必ずではないが、このような量は、記憶され、転送され、組み合わせられ、比較され、処理されるか、またはそうでなければ、信号測定値、テキスト、イメージ、ビデオ、オーディオなどのようなコンテンツの様々な形態を表す電子信号および／または状態として操作されることが可能な、電子および／または磁気信号および／または状態の形態を取り得る。それは、時には、主に公共の使用の理由から、ビット、値、エレメント、シンボル、文字、用語、数字、数詞、測定値、メッセージ、パラメータ、フレーム、パケット、コンテンツ、および／または同様のもののような、このような物理信号および／または物理状態を指すのに便利であると証明されている。しかしながら、これらのおよび／または類似する用語の全てが、適切な物理的量または表示に関連付けられるべきであり、単なる便利なラベルにすぎないことが理解されるべきである。別段の記載がない限り、先の考察から明らかなように、本明細書全体を通じて、「処理すること」、「計算すること」、「算出すること」、「決定すること」、「確立すること」、「取得すること」、「取得すること」、「識別すること」、「選択すること」、「生成すること」などの用語および／または同様のものを用いた考察が、特殊目的コンピュータおよび／または同様の特殊目的電子コンピューティングデバイス、および／またはネットワークデバイスなどの特定の装置のアクションまたは処理を指し得ることが認識される。従って、本明細書のコンテキストでは、特殊目的コンピュータおよび／または類似する特殊目的コンピューティングおよび／またはネットワークデバイスは、通常、メモリ内の物理的な電子および／または磁気量、レジスタ、および／または他の記憶デバイス、送信デバイス、および／または特殊目的コンピュータおよび／または類似する特殊目的コンピューティングおよび／またはネットワークデバイスのディスプレイデバイスとして表される、信号および／または状態を、処理、操作、および／または変換することが可能である。この特定の特許出願のコンテキストでは、記載されるように、「特定の装置」という用語は、一旦、それがプログラムソフトウェアからの命令に従って特定の機能を行うためにプログラムされると、多用途コンピュータなどの多用途コンピューティングおよび／またはネットワークデバイスを含み得る。
【００５７】
[0059]  いくつかの状況において、例えば、バイナリ１からバイナリ０へと、あるいは逆もまた同様に、状態が変化するなどのメモリデバイスの動作は、物理変換などの変換を備え得る。同様に、ビット、値、要素、シンボル、文字、用語、数字、数詞、測定値、メッセージ、パラメータ、フレーム、パケット、コンテンツ、および／または同様のものを記憶するためのメモリデバイスの動作は、物理変換を備え得る。メモリデバイスの特定のタイプとともに、このような物理変換は、異なる状態またはものである物品の物理変換を有し得る。例えば、限定はされないが、いくつかのタイプのメモリデバイスについて、状態の変化は、チャージの蓄積および／または記憶、あるいは記憶されたチャージのリリースを含み得る。同様に、他のメモリデバイスでは、状態の変化は、磁気的な方向付けの変換および／または物理的な変化などの物理的な変化、および／または結晶構造から非結晶構造へ、あるいは逆もまた同様になどの分子構造の変換を備え得る。さらに他のメモリデバイスでは、物理状態における変化は、重ね合わせ、巻き込み、および／または同様のもののような、量子力学的現象を含み得、それは、例えば、量子力学的ビット（量子ビット）を含み得る。前述のものは、メモリデバイスにおけるバイナリ１からバイナリ０への、あるいはその逆の、状態の変化は、物理変換などの変換を備え得る、全ての例の包括的なリストであることが意図される。さらに、前述のものは、説明のための例であることが意図される。
【００５８】
[0060]  本明細書に説明されるワイヤレス通信技法は、ワイヤレス広域ネットワーク（「ＷＷＡＮ」）、ワイヤレスローカルエリアネットワーク（「ＷＬＡＮ」）、ワイヤレスパーソナルエリアネットワーク（ＷＰＡＮ）などのような様々なワイヤレス通信ネットワークと接続し得る。「ネットワーク」および「システム」という用語は、本明細書では交換して使用可能であり得る。ＷＷＡＮは、符号分割多元接続（「ＣＤＭＡ」）ネットワーク、時分割多元接続（「ＴＤＭＡ」）ネットワーク、周波数分割多元接続（「ＦＤＭＡ」）ネットワーク、直交周波数多元接続（「ＯＦＤＭＡ」）ネットワーク、シングルキャリア周波数分割多元接続（「ＳＣ−ＦＤＭＡ」）ネットワーク、または上記ネットワークの任意の組み合せなどであり得る。ＣＤＭＡネットワークは、無線技法のほんの数例を挙げると、ｃｄｍａ２０００、広帯域ＣＤＭＡ（「Ｗ−ＣＤＭＡ」）のような、１つ以上の無線アクセス技術（「ＲＡＴ」などを実装し得る。ここで、ｃｄｍａ２０００は、ＩＳ−９５、ＩＳ−２０００、およびＩＳ−８５６規格によって実装される技術を含み得る。ＴＤＭＡネットワークは、グローバルシステムフォーモバイルコミュニケーションズ（ＧＳＭ（登録商標））、デジタルアドバンスドモバイル電話システム（Ｄ−ＡＭＰＳ）、または何らかの他のＲＡＴを実装し得る。ＧＳＭおよびＷ−ＣＤＭＡは、「第３世代パートナーシッププロジェクト（「３ＧＰＰ」）と称される団体からの文書に説明されている。Ｃｄｍａ２０００は、「第３世代パートナーシッププロジェクト２（３ＧＰＰ２）」と称される団体からの文書に説明されている。３ＧＰＰおよび３ＧＰＰ２の文書は、公衆に利用可能である。４Ｇロングタームエボリューション（「ＬＴＥ」）通信ネットワークはまた、ある態様において、本願請求項に記載される主題事項に従って実装され得る。例えば、ＷＬＡＮは、ＩＥＥＥ８０２．１１ｘネットワークを備え得、ＷＰＡＮは、Ｂｌｕｅｔｏｏｔｈネットワーク、ＩＥＥＥ８０２．１５ｘを備え得る。本明細書に説明されるワイヤレス通信の実装は、また、ＷＷＡＮ、ＷＬＡＮ、またはＷＰＡＮの任意の組み合せと関連して使用され得る。
【００５９】
[0061]  別の態様において、先に記載されたように、ワイヤレス送信機またはアクセスポイントは、フェムトセルを備え得、セルラ電話サービスを職場または自宅に拡張するために利用される。このような実装において、１つ以上のモバイルデバイスは、例えば、符号分割多元接続（ＣＤＭＡ）セルラ通信プロトコルを介してフェムトセルと通信し得、フェムトセルは、インターネットなどの別のブロードバンドネットワークを経由して、より大きいセルラ電気通信ネットワークにモバイルデバイスアクセスを提供し得る。
【００６０】
[0062]  本明細書に説明される技法は、いくつかのＧＮＳＳ、および／またはＧＮＳＳの組み合わせのいずれのものも含むＳＰＳとともに使用され得る。さらに、そのような技法は、「疑似衛星（pseudolites）」の役割を果たす地上波送信機、またはＳＶとそのような地上波送信機との組み合わせを利用する測位システムと使用され得る。地上波送信機は、例えば、ＰＮコードまたは他のレンジングコード（例えば、ＧＰＳまたはＣＤＭＡセルラ信号に類似する）をブロードキャストする地上の送信機を含み得る。そのような送信機は、遠隔受信機による識別を許可するために一意的なＰＮコードが割り当てられ得る。地上波送信機は、例えば、トンネル、鉱山、建物、都市ビルの谷間、または他の囲まれたエリア内などの、軌道を回るＳＶからのＳＰＳ信号が利用できないことがある状況においてＳＰＳを増強するのに有用であり得る。疑似衛星の別の実装は、無線ビーコンとして知られている。「ＳＶ」という用語は、本明細書で使用される場合、疑似衛星、疑似衛星の同等物、および場合によると他のものとしての役割を果たす地上波送信機を含むことが意図される。「ＳＰＳ信号」および／または「ＳＶ信号」という用語は、本明細書で使用される場合、地上波送信機からのＳＰＳまたは同様の信号を含む、疑似衛星または疑似衛星の同等物としての役割を果たす地上波送信機を含むことが意図される。
【００６１】
[0063]  同様に、このコンテキストでは、「結合される」、「接続される」という用語、および／または類似する用語が一般に使用されている。これらの用語が同義であるとは意図されていないことが理解されるべきである。むしろ、「接続される」は、一般に、２つ以上のコンポーネントが、例えば直接物理的に電子的接続を含んでいることを示すために使用され、一方、「結合される」は、一般に、２つ以上のコンポーネントが、潜在的に直接物理的に電子的接続を含んでいることを意味するために使用されるが、「結合される」もまた、一般に、２つ以上のコンポーネントが必ずしも直接接続ではないことも意味するために使用されるが、それにも関わらず、共同および／または相互作用することができることを意味する。結合されるという用語もまた、一般に、例えば、適切なコンテキストでは、間接的に接続されることを意味することが理解される。
【００６２】
[0064]  本明細書で使用される場合、「および」、「または」、「および／または」、および／または類似する用語は、このような用語が使用される特定のコンテキストに少なくとも部分的に依存することが予期される、様々な意味を含む。通常、「または」は、Ａ、Ｂ、またはＣなどのリストを関連付けるように使用される場合、本明細書で包括的な感覚で使用される、Ａ、Ｂ、およびＣ、と同様に、本明細書で排他的な感覚で使用される、Ａ、Ｂ、またはＣ、を意味することが意図される。加えて、「１つ以上の」および／または類似する用語は、単数形では、任意の特徴、構造、および／または特性を説明するために使用される、および／または、複数形を説明するためも使用される、および／または、特徴、構造、および／または特性のいくつかの他の組み合わせを説明するためにも使用され得る。同様に、「〜に基づく」という用語および／または同様の用語は、ファクタの包括的セットを伝えることを必ずしも意図するものではないが、必ずしも強調して説明されない追加のファクタの存在が理解される。当然ながら、前述のものの全てについて、説明および／または使用の特定のコンテキストが、描かれる推論に関する便利な指標を提供する。下記の説明は、単に、１つ以上の例示となる例および本願請求項に記載される主題事項が、これら１つ以上の例に限定されるものではないが、さらに、説明および／または使用の特定のコンテキストが、描かれる推論に関して便利な指標を提供することに留意されたい。
【００６３】
[0065]  このコンテキストでは、ネットワークデバイスという用語は、ネットワークを介しておよび／またはネットワークの一部として、通信することが可能な任意のデバイスを指し、コンピューティングデバイスを備え得る。ネットワークデバイスは、ワイヤードおよび／またはワイヤレスネットワークなどを介して、信号（例えば、信号パケットおよび／またはフレーム）を送るおよび／または受信することが可能であり得、これらは、物理メモリ状態としてメモリ中などで、算術および／または論理演算を行うこと、信号を処理および／または記憶することも可能であり得る、および／または、例えば、様々な実施形態におけるサーバとして動作し得る。サーバとして動作することが可能なネットワークデバイス、またはその他のものは、例として、専用ラックマウント方式サーバ、デスクトップコンピュータ、ラップトップコンピュータ、セットトップボックス、タブレット、ネットブック、スマートフォン、ウェアラブルデバイス、上記デバイスの２つ以上の特徴を組み合わせる集積デバイス、同様のまたはこれらの任意の組み合わせを含み得る。信号パケットおよび／またはフレームは、例えば、サーバとクライアントデバイス間、および／または、ワイヤレスネットワークを介して結合されたワイヤレスデバイス間を含むネットワークデバイスの他のタイプ間などで交換され得る。サーバ、サーバデバイス、サーバコンピューティングデバイス、サーバコンピューティングプラットフォーム、および／または同様の用語は、交換して使用可能であることに留意されたい。同様に、クライアント、クライアントデバイス、クライアントコンピューティングデバイス、クライアントコンピューティングプラットフォームという用語、および／または同様の用語もまた、交換して使用可能である。いくつかの事例では、説明を容易にするために、これらの用語は、「クライアントデバイス」または「サーバデバイス」などと呼ばれることによって単数形で使用され得るが、この表現は、必要に応じて、１つ以上のクライアントデバイスおよび／または１つ以上のサーバデバイスを含むことが意図される。似たような路線で、「データベース」への言及は、必要に応じて、１つ以上のデータベースおよび／またはそれらの一部分を意味することが理解される。
【００６４】
[0066]  説明を容易にするために、ネットワークデバイス（ネットワーキングデバイスとも呼ばれる）は、コンピューティングデバイスの観点から具現化および／または説明され得ることが理解されるべきである。しかしながら、この説明は、本願請求項に記載される主題事項が、コンピューティングデバイスおよび／またはネットワークデバイスなどの１つの実施形態に限定されると解釈されるべきではなく、むしろ、例えば、１つ以上の説明のための例を含む、様々なデバイスまたはそれらの組み合わせとして具現化され得ることがさらに理解されるべきである。
【００６５】
[0067]  １つの実装、ある実装、１つの実施形態、ある実施形態、および／または同様のものへの本明細書全体にわたる言及は、特定の実装および／または実施形態に関連して説明される特定の特徴、構造、および／または特性が、本願請求項に記載される主題事項の少なくとも１つの実装および／または実施形態に含まれることを意味する。そのため、例えば、本明細書全体を通じた様々な場所におけるこのような句の出現は、必ずしも同じ実装、または説明される任意の１つの特定の実装に言及することを意図しない。さらに、説明される特定の特徴、構造、および／または特性は、１つ以上の実装において様々な方法で組み合わせられることが可能であり、従って、例えば、意図される特許請求の範囲内のものであることが理解されるだろう。当然ながら、一般に、これらのおよび他の課題は、コンテキストで変化する。従って、説明および／または使用の特定のコンテキストは、描かれる推論に関する便利な指標を提供する。
【００６６】
[0068]  例となる特徴であると現在みなされるものが例示および説明されているが、本願請求項に記載される主題事項から逸脱することなく、様々な他の修正が行われ得ることおよび同等物が置換され得ることが、当業者によって理解されるだろう。加えて、本明細書に説明された中心的な概念から逸脱せずに、多くの修正が、本願請求項に記載される主題事項の教示に特定の状況を適合させるために行われ得る。従って、本願請求項に記載される主題事項は、開示された特定の例に限定されるものではなく、このような本願請求項に記載される主題事項が添付の特許請求の範囲およびその同等物の範囲内に入る全ての態様もまた含み得ることが意図される。
以下に本願の出願当初の特許請求の範囲に記載された発明を付記する。
［Ｃ１］
モバイルデバイスにおけるバックグラウンド信号追跡のための方法であって、
１つ以上の地上波信号の１つ以上の観測結果を取得することと、
前記１つ以上の観測結果をローカルメモリに記憶することと、
緊急イベントに応答して、１つ以上の基準信号の捕捉に少なくとも部分的に使用するために前記１つ以上の記憶された観測結果を取り出すことと、
前記１つ以上の記憶された観測結果に少なくとも部分的に基づいて、前記モバイルデバイスの位置フィックスを決定することと
を備える、方法。
［Ｃ２］
前記１つ以上の記憶された観測結果は、前記１つ以上の地上波信号の測定された到着時間（ＴＯＡ）、前記１つ以上の地上波信号の測定された到着時間差（ＴＤＯＡ）、前記１つ以上の地上波信号を送信する地上波送信機のアイデンティティ、またはそれらの任意の組み合わせのうちの少なくとも１つを備える、Ｃ１に記載の方法。
［Ｃ４］
前記緊急イベントは、前記緊急イベントを示し、かつ前記モバイルデバイスにおいて受信されるメッセージを介して検出される、Ｃ１に記載の方法。
［Ｃ５］
前記１つ以上の基準信号の前記捕捉のためにサーチウィンドウを狭めることをさらに備える、Ｃ１に記載の方法。
［Ｃ６］
前記１つ以上の基準信号の前記捕捉のために前記サーチウィンドウを前記狭めることは、前記モバイルデバイスにおいて受信され、かつ前記緊急イベントを示すメッセージ中で提供される、予期される不確実性パラメータのサーチウィンドウのサイズを狭めることをさらに備える、Ｃ５に記載の方法。
［Ｃ７］
前記モバイルデバイスにおいて受信され、かつ前記緊急イベントを示す前記メッセージは、緊急応答機関（ＰＳＡＰ）における前記緊急イベントの検出に応答して通信されたＬＴＥ測位プロトコルメッセージを備える、Ｃ６に記載の方法。
［Ｃ８］
前記１つ以上の基準信号の前記捕捉のために、真の早期到着パス（ＥＡＰ）を検出することをさらに備える、Ｃ１に記載の方法。
［Ｃ９］
前記１つ以上の地上波信号は、ロングタームエボリューション（ＬＴＥ）における１つ以上の測位基準信号（ＰＲＳ）、ロングタームエボリューション（ＬＴＥ）における１つ以上のセル固有基準信号（ＣＲＳ）、符号分割多元接続（ＣＤＭＡ）でのための１つ以上の１ｘ信号、１つ以上の衛星測位システム（ＳＰＳ）信号、１つ以上ワイヤレス広域ネットワーク（ＷＷＡＮ）信号、またはこれらの任意の組み合わせのうちの少なくとも１つを備える、Ｃ１に記載の方法。
［Ｃ１０］
前記１つ以上の観測結果は、前記緊急イベントから独立して取得される、Ｃ１に記載の方法。
［Ｃ１１］
前記１つ以上の基準信号の捕捉に少なくとも部分的に使用するために、センサデータを用いて前記１つ以上の観測結果を増強することをさらに備える、Ｃ１に記載の方法。
［Ｃ１２］
前記１つ以上の基準信号は、観測到着時間差（ＯＴＤＯＡ）測位技法、アドバンスト順方向リンク三辺測量（ＡＦＬＴ）測位技法、ＳＰＳ測位技術、またはそれらの任意の組み合わせのうちの少なくとも１つを介して捕捉される、Ｃ１に記載の方法。
［Ｃ１３］
前記緊急イベントは、前記モバイルデバイスから生じる９１１コールを備える、Ｃ１に記載の方法。
［Ｃ１４］
前記１つ以上の基準信号の前記捕捉は、少なくとも、前記１つ以上の基準信号のＴＯＡの１つ以上の測定値、または前記１つ以上の基準信号のＴＤＯＡの１つ以上の測定値の捕捉を備える、Ｃ１に記載の方法。
［Ｃ１５］
前記緊急イベントを示すメッセージの後で、１つ以上の基準信号のＴＯＡまたはＴＤＯＡの１つ以上の測定値をフィルタリングすることをさらに備える、Ｃ１に記載の方法。
［Ｃ１６］
前記１つ以上の基準信号は、全地球航法衛星システム（ＧＮＳＳ）拒否環境で捕捉される、Ｃ１に記載の方法。
［Ｃ１７］
前記１つ以上の基準信号の前記捕捉のために、予期されるマルチパスを検出することをさらに備える、Ｃ１に記載の方法。
［Ｃ１８］
バックグラウンド信号追跡のための装置であって、
１つ以上の地上波信号の１つ以上の観測結果を取得するための手段と、
前記１つ以上の観測結果をローカルメモリに記憶するための手段と、
緊急イベントに応答して、１つ以上の基準信号の捕捉に少なくとも部分的に使用するために前記１つ以上の記憶された観測結果を取り出すための手段と、
前記１つ以上の記憶された観測結果に少なくとも部分的に基づいて、モバイルデバイスの位置フィックスを決定するための手段と
を備える、装置。
［Ｃ１９］
前記１つ以上の基準信号の前記捕捉のためにサーチウィンドウを狭めるための手段をさらに備える、Ｃ１８に記載の装置。
［Ｃ２０］
前記１つ以上の基準信号の前記捕捉のために、真の早期到着パス（ＥＡＰ）を検出するための手段をさらに備える、Ｃ１８に記載の装置。
［Ｃ２１］
バックグラウンド信号追跡のための装置であって、
電子通信ネットワークと通信するためのワイヤレストランシーバと、前記ワイヤレストランシーバは、
１つ以上の地上波信号の１つ以上の観測結果を取得すること
を行うように構成され、
メモリおよび前記ワイヤレストランシーバに結合された１つ以上のプロセッサと、前記１つ以上のプロセッサは、
前記１つ以上の観測結果をローカルメモリに記憶することと、
緊急イベントに応答して、１つ以上の基準信号の捕捉に少なくとも部分的に使用するために前記１つ以上の記憶された観測結果を取り出すことと、
前記１つ以上の記憶された観測結果に少なくとも部分的に基づいて、モバイルデバイスの位置フィックスを決定することと
を行うように構成される、
を備える、装置。
［Ｃ２２］
前記１つ以上の記憶された観測結果は、前記１つ以上の地上波信号の測定された到着時間（ＴＯＡ）、前記１つ以上の地上波信号の測定された到着時間差（ＴＤＯＡ）、前記１つ以上の地上波信号を送信する地上波送信機のアイデンティティ、またはそれらの任意の組み合わせのうちの少なくとも１つを備える、Ｃ２１に記載の装置。
［Ｃ２３］
前記１つ以上のプロセッサは、前記１つ以上の基準信号の前記捕捉のためにサーチウィンドウを狭めることを促進する、Ｃ２１に記載の装置。
［Ｃ２４］
前記１つ以上のプロセッサは、前記１つ以上の基準信号の前記捕捉のために、真の早期到着パス（ＥＡＰ）を検出することを促進する、Ｃ２１に記載の装置。
［Ｃ２５］
前記緊急イベントは、前記モバイルデバイスにおいて受信されたメッセージを介して検出される、Ｃ２１に記載の装置。
［Ｃ２６］
前記１つ以上の地上波信号は、ロングタームエボリューション（ＬＴＥ）における１つ以上の測位基準信号（ＰＲＳ）、ロングタームエボリューション（ＬＴＥ）における１つ以上のセル固有基準信号（ＣＲＳ）、符号分割多元接続（ＣＤＭＡ）でのための１つ以上の１ｘ信号、１つ以上の衛星測位システム（ＳＰＳ）信号、１つ以上ワイヤレス広域ネットワーク（ＷＷＡＮ）信号、またはこれらの任意の組み合わせのうちの少なくとも１つを備える、Ｃ２１に記載の装置。
［Ｃ２７］
前記１つ以上の基準信号は、観測到着時間差（ＯＴＤＯＡ）測位技法、アドバンスト順方向リンク三辺測量（ＡＦＬＴ）測位技法、ＳＰＳ測位技術、またはそれらの任意の組み合わせのうちの少なくとも１つを介して捕捉されるものである、Ｃ２１に記載の装置。
［Ｃ２８］
前記１つ以上の観測結果は、前記緊急イベントから独立して取得されるものである、Ｃ２１に記載の装置。
［Ｃ２９］
前記１つ以上のプロセッサは、前記緊急イベントの後で、１つ以上の基準信号のＴＯＡまたはＴＤＯＡの１つ以上の測定値をフィルタリングすることを促進する、Ｃ２１に記載の装置。
［Ｃ３０］
プロセッサによって実行可能な命令を有する非一時的記憶媒体であって、前記命令は、  １つ以上の地上波信号の１つ以上の観測結果を取得することと、
前記１つ以上の観測結果をローカルメモリに記憶することと、
緊急イベントに応答して、１つ以上の基準信号の捕捉に少なくとも部分的に使用するために前記１つ以上の記憶された観測結果を取り出すことと、
前記１つ以上の記憶された観測結果に少なくとも部分的に基づいて、モバイルデバイスの位置フィックスを決定することと
を行う、非一時的記憶媒体。
【図１】
0006495540.tif 000002
【図２】
0006495540.tif 000003
【図３】
0006495540.tif 000004
【図４】
0006495540.tif 000005